(57)【要約】  本発明は天気表示方法、装置、プログラム及び記録媒体に関し、情報処理技術分野に関し、天気表示が不確実、不真実であり、表示効果が単一である課題を解決する。前記方法は、天気情報及び端末の姿勢情報を取得するステップと、前記天気情報及び前記端末の姿勢情報に基づいて天気動画を生成するステップと、前記端末において前記天気動画を表示するステップを含む。本発明は、天気状態をより確実且つより真実に表示するために用いられる。【選択図】図１
2016536712.tif 000002
【特許請求の範囲】
【請求項１】
天気情報及び端末の姿勢情報を取得するステップと、
前記天気情報及び前記端末の姿勢情報に基づいて天気動画を生成するステップと、
前記端末において前記天気動画を表示するステップと、を含むことを特徴とする天気表示方法。
【請求項２】
前記天気情報及び前記端末の姿勢情報に基づいて天気動画を生成するステップは、
前記天気情報に基づいて前記天気動画を構成する少なくとも１つの天気素材を特定するステップと、
前記端末の姿勢情報に基づいて前記少なくとも１つの天気素材における各天気素材の運動状態を特定するステップと、
前記天気素材の運動状態に基づいて前記天気動画を生成するステップと、を含むことを特徴とする請求項１に記載の方法。
【請求項３】
前記天気情報は、天気のタイプ及び天気の等級を含み、前記天気素材のパラメータは天気素材のタイプ、各天気素材の対象の数及び各対象の大きさを含んでおり、
前記天気情報に基づいて前記天気動画を構成する少なくとも１つの天気素材を特定するステップは、
前記天気のタイプ及び天気の等級に基づいて前記天気素材のタイプ、各天気素材の対象の数及び各対象の大きさを特定するステップを含むことを特徴とする請求項２に記載の方法。
【請求項４】
前記運動状態は初期位置及び運動軌跡を含んでおり、
前記端末の姿勢情報に基づいて少なくとも１つの天気素材における各天気素材の運動状態を特定するステップは、
前記端末の姿勢情報に基づいて前記天気素材の各対象の初期位置及び運動軌跡を特定するステップを含み、
前記端末において前記天気動画を表示するステップは、
前記端末において前記天気素材の各対象が前記初期位置から前記運動軌跡に沿って運動することを表示するステップを含むことを特徴とする請求項３に記載の方法。
【請求項５】
前記端末の姿勢情報に基づいて前記天気素材の各対象の初期位置及び運動軌跡を特定するステップは、
前記端末の姿勢情報に基づいて前記天気素材の各対象が前記初期位置から重力方向に沿って運動することを特定するステップを含むことを特徴とする請求項４に記載の方法。
【請求項６】
前記端末の姿勢情報は、水平、垂直、傾斜を含み、
前記端末の姿勢情報に基づいて前記天気素材の各対象の運動軌跡を前記初期位置から重力方向に沿って運動する軌跡として特定するステップは、
前記端末が水平に置かれる場合、前記天気素材の各対象の運動軌跡を前記端末のスクリーンの存在する平面に垂直する方向に沿って運動する軌跡として特定するステップと、
前記端末が垂直に置かれる場合、前記天気素材の各対象の運動軌跡を前記端末のスクリーンの存在する平面で上から下に向けて運動する軌跡として特定するステップと、
前記端末が傾斜して置かれる場合、前記天気素材の各対象の運動軌跡を前記端末のスクリーンの存在する平面の鉛直方向に沿って上から下に向けて運動する軌跡として特定するステップと、を含むことを特徴とする請求項５に記載の方法。
【請求項７】
前記端末の姿勢情報はさらに前記端末のスクリーンの水平上向き姿勢、水平下向き姿勢を含み、
前記端末の姿勢情報に基づいて前記天気素材の各対象の運動軌跡を前記初期位置から重力方向に沿って運動する軌跡として特定するステップは、
前記スクリーンが水平上向きである場合、前記天気素材の各対象の運動軌跡を前記スクリーンの存在する平面に垂直な方向に沿って前記スクリーン外から前記スクリーン内へ落下する軌跡として特定するステップと、
前記スクリーンが水平下向きである場合、前記天気素材の各対象の運動軌跡を前記スクリーンの存在する平面に垂直な方向に沿って前記スクリーン内から前記スクリーン外へ落下する軌跡として特定するステップと、を含むことを特徴とする請求項５に記載の方法。
【請求項８】
前記天気情報はさらに風力情報及び風向情報を含み、
前記端末の姿勢情報に基づいて前記天気素材の各対象の初期位置及び運動軌跡を特定するステップは、
前記天気素材のタイプ、各対象の大きさ、風力情報、風向情報及び前記端末の姿勢情報に基づいて、前記天気素材の各対象が動画の各フレームにおける位置を特定するステップを含むことを特徴とする請求項４に記載の方法。
【請求項９】
前記天気情報及び前記端末の姿勢情報に基づいて天気動画を生成するステップは、
前記端末のカメラによって撮像された画面を前記天気動画の背景とする、又は、設定画面を前記天気動画の背景とするステップを含むことを特徴とする請求項１に記載の方法。
【請求項１０】
設定画面を前記天気動画の背景とする場合、前記方法はさらに、
現在の時間を取得するステップと、
現在の時間に基づいて前記天気動画の背景色度値情報を特定するステップと、
前記背景色度値情報に基づいて前記天気動画の背景の色度値を調整するステップと、を含むことを特徴とする請求項９に記載の方法。
【請求項１１】
設定画面を前記天気動画の背景とする場合、前記方法はさらに、
現在の日付を取得するステップと、
現在の日付の属する季節を特定するステップと、
前記現在の日付の属する季節に基づいて前記天気動画の背景タイプを特定するステップと、
前記天気動画の背景として前記背景タイプの対応する設定イメージを選択するステップと、を含むことを特徴とする請求項９に記載の方法。
【請求項１２】
天気情報及び端末の姿勢情報を取得するための取得モジュールと、
前記天気情報及び前記端末の姿勢情報に基づいて天気動画を生成するための生成モジュールと、
前記端末において前記天気動画を表示するための表示モジュールと、を備えることを特徴とする天気表示装置。
【請求項１３】
前記生成モジュールは、
前記天気情報に基づいて前記天気動画を構成する少なくとも１つの天気素材を特定するための第１の特定サブモジュールと、
前記端末の姿勢情報に基づいて前記少なくとも１つの天気素材における各天気素材の運動状態を特定するための第２の特定サブモジュールと、
前記天気素材の運動状態に基づいて前記天気動画を生成するための動画生成サブモジュールと、を含むことを特徴とする請求項１２に記載の装置。
【請求項１４】
前記取得モジュールが取得する天気情報は天気のタイプ及び天気の等級を含み、
前記第１の特定サブモジュールが特定する天気素材のパラメータは天気素材のタイプ、各天気素材の対象の数及び各対象の大きさを含み、
前記第１の特定サブモジュールは、前記天気のタイプ及び天気の等級に基づいて前記天気素材のタイプ、各天気素材の対象の数及び各対象の大きさを特定するために用いられることを特徴とする請求項１３に記載の装置。
【請求項１５】
前記第２の特定サブモジュールが特定する運動状態は初期位置及び運動軌跡を含み、
前記第２の特定サブモジュールは、前記端末の姿勢情報に基づいて前記天気素材の各対象の初期位置及び運動軌跡を特定するために用いられ、
前記表示モジュールは、前記端末において前記天気素材の各対象が前記初期位置から前記運動軌跡に沿って運動することを表示するために用いられることを特徴とする請求項１４に記載の装置。
【請求項１６】
前記第２の特定サブモジュールは、前記端末の姿勢情報に基づいて前記天気素材の各対象の運動軌跡を前記初期位置から重力方向に沿って運動する軌跡として特定するために用いられることを特徴とする請求項１５に記載の装置。
【請求項１７】
前記取得モジュールが取得する端末の姿勢情報は、水平、垂直、傾斜を含み、
前記第２の特定サブモジュールは、
前記端末が水平に置かれる場合、前記天気素材の各対象の運動軌跡を前記端末のスクリーンの存在する平面に垂直する方向に沿って運動する軌跡として特定し、前記端末が垂直に置かれる場合、前記天気素材の各対象の運動軌跡を前記端末のスクリーンの存在する平面で上から下に向けて運動する軌跡として特定し、前記端末が傾斜して置かれる場合、前記天気素材の各対象の運動軌跡を前記端末のスクリーンの存在する平面の鉛直方向に沿って上から下に向けて運動する軌跡として特定するために用いられることを特徴とする請求項１６に記載の装置。
【請求項１８】
前記取得モジュールが取得する端末の姿勢情報は、さらに前記端末のスクリーンの水平上向き姿勢、水平下向き姿勢を含み、
前記第２の特定サブモジュールは、
前記スクリーンが水平上向きである場合、前記天気素材の各対象の運動軌跡を前記スクリーンの存在する平面に垂直な方向に沿って前記スクリーン外から前記スクリーン内へ落下する軌跡として特定し、前記スクリーンが水平下向きである場合、前記天気素材の各対象の運動軌跡を前記スクリーンの存在する平面に垂直な方向に沿って前記スクリーン内から前記スクリーン外へ落下する軌跡として特定するために用いられることを特徴とする請求項１６に記載の装置。
【請求項１９】
前記取得モジュールが取得する天気情報はさらに風力情報及び風向情報を含み、
前記第２の特定サブモジュールは、前記天気素材のタイプ、各対象の大きさ、風力情報、風向情報及び前記端末の姿勢情報に基づいて、前記天気素材の各対象が動画の各フレームにおける位置を特定するために用いられることを特徴とする請求項１５に記載の装置。
【請求項２０】
前記生成モジュールは、
前記端末のカメラによって撮像された画面を前記天気動画の背景とする、又は、設定画面を前記天気動画の背景とするための背景選出サブモジュールを含むことを特徴とする請求項１２に記載の装置。
【請求項２１】
前記装置はさらに、
設定画面を前記天気動画の背景とする場合、現在の時間を取得するための時間取得モジュールを含み、
前記生成モジュールはさらに、
現在の時間に基づいて前記天気動画の背景色度値情報を特定するための第３の特定サブモジュールと、
前記背景色度値情報に基づいて前記天気動画の背景の色度値を調整するための調整サブモジュールと、を含むことを特徴とする請求項２０に記載の装置。
【請求項２２】
前記装置はさらに、
設定画面を前記天気動画の背景とする場合、現在の日付を取得するための日付取得モジュールと、
現在の日付の属する季節を特定するための季節特定モジュールと、を含み、
前記生成モジュールはさらに、
前記現在の日付の属する季節に基づいて前記天気動画の背景タイプを特定するための第４の特定サブモジュールと、
前記天気動画の背景として前記背景タイプの対応する設定イメージを選択するための前記背景選出サブモジュールと、を含むことを特徴とする請求項２０に記載の装置。
【請求項２３】
プロセッサと、
プロセッサにより実行可能な指令を記憶するためのメモリと、を含み、
前記プロセッサは、
天気情報及び端末の姿勢情報を取得し、
前記天気情報及び前記端末の姿勢情報に基づいて天気動画を生成し、
前記端末において前記天気動画を表示するように構成されることを特徴とする天気表示装置。
【発明の詳細な説明】
【技術分野】
【０００１】
本発明は情報処理技術分野に関し、特に、天気表示方法及び装置に関する。
【背景技術】
【０００２】
ここ数年来、スマートフォンの発展に従い、携帯電話のアプリケーションは人々の生活に不可欠な製品となる。従来から人類の生活に必要なものとして、天気情報の取得は携帯電話のアプリケーションにおいて比較的重要な地位を占める。
【０００３】
天気アプリケーションは大規模に発展し、市場において様々な天気アプリケーション製品が現れている。関係技術において、天気アプリケーションは天気状態を表し、一般的にはアプリケーションにおいて一部のイメージ又は動画を予め作成し、そして、異なる天気のタイプに基づいてこれらのイメージ又は動画をアプリケーションのインターフェースに設置する。
【０００４】
しかしながら、関係技術において、天気アプリケーションにおける予め設定されるイメージ又は動画の何れも固定的なものであるので、同時に多種の天気状態が存在している場合、例えば、同時に風が吹き雨が降っている場合、多種の天気状態について総合的な動態表示を行うことができず、天気状態の表示が不正確、不真実になってしまうという問題はある。なお、天気アプリケーションは天気の表示効果が単一であるので、ユーザはずっと変わらない天気の表示方式に退屈し、ユーザ体験度が比較的悪いという問題もある。
【発明の概要】
【０００５】
関係技術に存在している課題を解決するために、本発明の実施例は天気表示方法及び装置を提供する。
【０００６】
本発明の実施例の第１の態様によれば、天気表示方法を提供し、前記方法は、
天気情報及び端末の姿勢情報を取得するステップと、
前記天気情報及び前記端末の姿勢情報に基づいて天気動画を生成するステップと、
前記端末において前記天気動画を表示するステップと、を含む。
【０００７】
本実施例において、天気情報及び姿勢情報に基づいて天気動画を生成することによって、多種の天気状態に対し総合的な動態イメージ表示を行い、天気状態の表示をより正確、より真実、且つ、より直感的にすることができる。且つ、天気状態の表示に端末の現在の姿勢情報を組み合わせることによって、端末に対するユーザの使用状態を考慮した天気状態の表示を実現し、ユーザと効果的にインタラクションを行うことができて、天気状態の表示の効果がいっそう多様化になり、ユーザに真実な体験を与え、ユーザ体験度をより向上させることができる。
【０００８】
好ましく、前記天気情報及び前記端末の姿勢情報に基づいて天気動画を生成するステップは、
前記天気情報に基づいて前記天気動画を構成する少なくとも１つの天気素材を特定するステップと、
前記端末の姿勢情報に基づいて前記少なくとも１つの天気素材における各天気素材の運動状態を特定するステップと、
前記天気素材の運動状態に基づいて前記天気動画を生成するステップと、を含む。
【０００９】
好ましい方案において、天気動画における天気素材の運動状態を特定することによって、天気動画がより正確、より真実、且つ、より直感的になり、ユーザに真実な体験を与え、ユーザ体験度をより向上させることができる。
【００１０】
好ましく、前記天気情報は、天気のタイプ及び天気の等級を含み、前記天気素材のパラメータは天気素材のタイプ、各天気素材の対象の数及び各対象の大きさを含んでおり、
前記天気情報に基づいて前記天気動画を構成する少なくとも１つの天気素材を特定するステップは、
前記天気のタイプ及び天気の等級に基づいて前記天気素材のタイプ、各天気素材の対象の数及び各対象の大きさを特定するステップを含む。
【００１１】
好ましい方案において、天気のタイプ及び天気の等級に基づいて、動画における天気素材をより詳しく表示し、天気状態の表示の真実性及び直感性を向上する。
【００１２】
好ましく、前記運動状態は初期位置及び運動軌跡を含んでおり、
前記端末の姿勢情報に基づいて少なくとも１つの天気素材における各天気素材の運動状態を特定するステップは、
前記端末の姿勢情報に基づいて前記天気素材の各対象の初期位置及び運動軌跡を特定するステップを含み、
前記端末において前記天気動画を表示するステップは、
前記端末において前記天気素材の各対象が前記初期位置から前記運動軌跡に沿って運動することを表示するステップを含む。
【００１３】
好ましい方案において、端末の姿勢情報に基づいて天気動画における各天気素材の初期位置及び運動軌跡を特定し、動画における天気素材を詳しく表示し、天気状態の表示の真実性及び直感性を向上させる。
【００１４】
好ましく、前記端末の姿勢情報に基づいて前記天気素材の各対象の初期位置及び運動軌跡を特定するステップは、
前記端末の姿勢情報に基づいて前記天気素材の各対象が前記初期位置から重力方向に沿って運動することを特定するステップを含む。
【００１５】
好ましい方案において、素材が重力方向に沿って落下するように設定し、動画おける素材を詳しく表示し、天気状態の表示の真実性を向上させる。
【００１６】
好ましく、前記端末の姿勢情報は、水平、垂直、傾斜を含み、
前記端末の姿勢情報に基づいて前記天気素材の各対象の運動軌跡を前記初期位置から重力方向に沿って運動する軌跡として特定するステップは、
前記端末が水平に置かれる場合、前記天気素材の各対象の運動軌跡を前記端末のスクリーンの存在する平面に垂直する方向に沿って運動する軌跡として特定するステップと、
前記端末が垂直に置かれる場合、前記天気素材の各対象の運動軌跡を前記端末のスクリーンの存在する平面で上から下に向けて運動する軌跡として特定するステップと、
前記端末が傾斜して置かれる場合、前記天気素材の各対象の運動軌跡を前記端末のスクリーンの存在する平面の鉛直方向に沿って上から下に向けて運動する軌跡として特定するステップと、を含む。
【００１７】
好ましい方案において、端末姿勢に基づいて天気動画を生成し、生成される動画の効果がより真実になり、ユーザに真実な体験を与え、ユーザ体験度を向上させる。
【００１８】
好ましく、前記端末の姿勢情報はさらに前記端末のスクリーンの水平上向き姿勢、水平下向き姿勢を含み、
前記端末の姿勢情報に基づいて前記天気素材の各対象の運動軌跡を前記初期位置から重力方向に沿って運動する軌跡として特定するステップは、
前記スクリーンが水平上向きである場合、前記天気素材の各対象の運動軌跡を前記スクリーンの存在する平面に垂直な方向に沿って前記スクリーン外から前記スクリーン内へ落下する軌跡として特定するステップと、
前記スクリーンが水平下向きである場合、前記天気素材の各対象の運動軌跡を前記スクリーンの存在する平面に垂直な方向に沿って前記スクリーン内から前記スクリーン外へ落下する軌跡として特定するステップと、を含む。
【００１９】
好ましい方案において、端末姿勢に基づいて天気動画を生成し、生成される動画の効果がより真実になり、ユーザに真実な体験を与え、ユーザ体験度を向上させる。
【００２０】
好ましく、前記天気情報はさらに風力情報及び風向情報を含み、
記端末の姿勢情報に基づいて前記天気素材の各対象の初期位置及び運動軌跡を特定するステップは、
前記天気素材のタイプ、各対象の大きさ、風力情報、風向情報及び前記端末の姿勢情報に基づいて前記天気素材の各対象が動画の各フレームにおける位置を特定するステップを含む。
【００２１】
好ましい方案において、多種の天気状態の情報に基づいて天気動画を生成することによって、多種の天気状態に対する総合的な動態動画表示を実現し、天気状態に対する表示がより正確、より真実、且つ、より直感的になる。
【００２２】
好ましく、前記天気情報及び前記端末の姿勢情報に基づいて天気動画を生成するステップは、
前記端末のカメラによって撮像された画面を前記天気動画の背景とする、又は、設定画面を前記天気動画の背景とするステップを含む。
【００２３】
好ましい方案において、天気動画の背景が固定的な設定イメージであってもよいし、屋外シーンのイメージであってもよい。これにより、天気状態の表示を多様化にし、且つ、より真実、より直感的にし、ユーザに真実な体験を与え、ユーザ体験度をより向上させることができる。
【００２４】
好ましく、設定画面を前記天気動画の背景とする場合、前記方法はさらに、
現在の時間を取得するステップと、
現在の時間に基づいて前記天気動画の背景色度値情報を特定するステップと、
前記背景色度値情報に基づいて前記天気動画の背景の色度値を調整するステップと、を含む。
【００２５】
好ましい方案において、固定的なイメージ背景に関しては、時間変化に従い、天気動画の背景に異なる光度、色度の変化を呈させることにより、真実に光線の時間に従う変化を呈し、ユーザに真実な体験を与え、背景イメージを変更する必要がなく、その色度値だけを変更すればよく、記憶されるイメージ資源を低減し、処理効率を向上させる。
【００２６】
好ましく、設定画面を前記天気動画の背景とする場合、前記方法はさらに、
現在の日付を取得するステップと、
現在の日付の属する季節を特定するステップと、
前記現在の日付の属する季節に基づいて前記天気動画の背景タイプを特定するステップと、
前記天気動画的背景として前記背景タイプの対応する設定イメージを選択するステップと、を含む。
【００２７】
好ましい方案において、固定的なイメージ背景に関しては、現在の季節に基づいて、対応する背景イメージを選択して動画を表示し、例えば、春夏秋冬という四季モードを設定し、それぞれのモードにおいて異なるイメージは異なる月に対応し、現在の時期に基づいて対応するイメージを動画背景として選択することができる。天気動画表示において季節要因を考慮することによって、ユーザに真実な体験を与え、体験度をより向上させることができる。
【００２８】
本発明の実施例の第２の態様によれば、天気表示装置を提供し、
天気情報及び端末の姿勢情報を取得するための取得モジュールと、
前記天気情報及び前記端末の姿勢情報に基づいて天気動画を生成するための生成モジュールと、
前記端末において前記天気動画を表示するための表示モジュールと、を備える。
【００２９】
本実施例において、天気情報及び姿勢情報に基づいて天気動画を生成することによって多種の天気状態に対し総合的な動態イメージ表示を行い、天気状態の表示をより正確、より真実、より直感的にすることができる。且つ、天気状態の表示に端末の現在の姿勢情報を組み合わせることによって、端末に対するユーザの使用状態を考慮した天気状態の表示を実現し、ユーザと効果的にインタラクションを行うことができて、天気状態の表示の効果がいっそう多様化になり、ユーザに真実な体験を与え、ユーザ体験度をより向上させることができる。
【００３０】
好ましく、前記生成モジュールは、
前記天気情報に基づいて前記天気動画を構成する少なくとも１つの天気素材を特定するための第１の特定サブモジュールと、
前記端末の姿勢情報に基づいて前記少なくとも１つの天気素材における各天気素材の運動状態を特定するための第２の特定サブモジュールと、
前記天気素材の運動状態に基づいて前記天気動画を生成するための動画生成サブモジュールと、を含む。
【００３１】
好ましい方案において、天気動画における天気素材運動状態を特定することによって、天気動画がより正確、真実、且つより直感的になり、ユーザに真実な体験を与え、ユーザ体験度をより向上させることができる。
【００３２】
好ましく、前記取得モジュールが取得する天気情報は天気のタイプ及び天気の等級を含み、前記第１の特定サブモジュールが特定する天気素材のパラメータは天気素材のタイプ、各天気素材の対象の数及び各対象の大きさを含み、
前記第１の特定サブモジュールは、前記天気のタイプ及び天気の等級に基づいて前記天気素材のタイプ、各天気素材の対象の数及び各対象の大きさを特定するために用いられる。
【００３３】
好ましい方案において、天気のタイプ及び天気の等級に基づいて動画における天気素材をより詳しく表示し、天気状態の表示の真実性及び直感性を向上する。
【００３４】
好ましく、前記第２の特定サブモジュールが特定する運動状態は初期位置及び運動軌跡を含み、
前記第２の特定サブモジュールは、前記端末の姿勢情報に基づいて前記天気素材の各対象の初期位置及び運動軌跡を特定するために用いられ、
前記表示モジュールは、前記端末において前記天気素材の各対象が前記初期位置から前記運動軌跡に沿って運動することを表示するために用いられる。
【００３５】
好ましい方案において、端末の姿勢情報に基づいて天気動画における各天気素材の初期位置及び運動軌跡を特定し、動画における天気素材をより詳しく表示し、天気状態の表示の真実性及び直感性を向上させる。
【００３６】
好ましく、前記第２の特定サブモジュールは、前記端末の姿勢情報に基づいて前記天気素材の各対象の運動軌跡を前記初期位置から重力方向に沿って運動する軌跡として特定するために用いられる。
【００３７】
好ましい方案において、素材が重力方向に沿って落下するように設定し、動画における素材を詳しく表示し、天気状態の表示の真実性を向上させる。
【００３８】
好ましく、前記取得モジュールが取得する端末の姿勢情報は、水平、垂直、傾斜を含み、
前記第２の特定サブモジュールは、前記端末が水平に置かれる場合、前記天気素材の各対象の運動軌跡を前記端末のスクリーンの存在する平面に垂直する方向に沿って運動する軌跡として特定し、前記端末が垂直に置かれる場合、前記天気素材の各対象の運動軌跡を前記端末のスクリーンの存在する平面で上から下に向けて運動する軌跡として特定し、前記端末が傾斜して置かれる場合、前記天気素材の各対象の運動軌跡を前記端末のスクリーンの存在する平面の鉛直方向に沿って上から下に向けて運動する軌跡として特定するために用いられる。
【００３９】
好ましい方案において、端末姿勢に基づいて天気動画を生成し、生成される動画の効果がより真実になり、ユーザに真実な体験を与え、ユーザ体験度を向上させる。
【００４０】
好ましく、前記取得モジュールが取得する端末の姿勢情報は、さらに前記端末のスクリーンが水平上向き姿勢、水平下向き姿勢を含み、
前記第２の特定サブモジュールは、前記スクリーンが水平上向きである場合、前記天気素材の各対象の運動軌跡を前記スクリーンの存在する平面に垂直な方向に沿って前記スクリーン外から前記スクリーン内へ落下する軌跡として特定し、前記スクリーンが水平下向きである場合、前記天気素材の各対象の運動軌跡を前記スクリーンの存在する平面に垂直な方向に沿って前記スクリーン内から前記スクリーン外へ落下する軌跡として特定するために用いられる。
【００４１】
好ましい方案において、端末姿勢に基づいて天気動画を生成し、生成される動画の効果がより真実になり、ユーザに真実な体験を与え、ユーザ体験度を向上させる。
【００４２】
好ましく、前記取得モジュールが取得する天気情報はさらに風力情報及び風向情報を含み、
前記第２の特定サブモジュールは、前記天気素材のタイプ、各対象の大きさ、風力情報、風向情報及び前記端末の姿勢情報に基づいて、前記天気素材の各対象が動画の各フレームにおける位置を特定するために用いられる。
【００４３】
好ましい方案において、多種の天気状態の情報に基づいて天気動画を生成することによって、多種の天気状態に対し総合的な動態イメージ表示を実現し、天気状態に対する表示がより正確、より真実、且つ、より直感的になる。
【００４４】
好ましく、前記生成モジュールは、
前記端末のカメラによって撮像された画面を前記天気動画の背景とする、又は、設定画面を前記天気動画の背景とするための背景選出サブモジュールを含む。
【００４５】
好ましい方案において、天気動画の背景は固定的な設定イメージであってもよいし、屋外シーンイメージであってもよい。これにより、天気状態の表示をより多様化し、且つ、より真実、より直感的にし、ユーザに真実な体験を与え、ユーザ体験度をより向上させることができる。
【００４６】
好ましく、前記装置はさらに、
設定画面を前記天気動画の背景とする場合、現在の時間を取得するための時間取得モジュールを含み、
前記生成モジュールはさらに、
現在の時間に基づいて前記天気動画の背景色度値情報を特定するための第３の特定サブモジュールと、
前記背景色度値情報に基づいて前記天気動画の背景の色度値を調整するための調整サブモジュールと、を含む。
【００４７】
好ましい方案において、固定のイメージ背景に関しては、時間変化に従い、天気動画の背景を異なる光度、色度の変化を呈させることによって、真実的に光線の時間に従う変化を呈し、ユーザに真実な体験を与え、且つ、背景イメージを変更する必要がなく、その色度値だけを変更してもよく、記憶されるイメージ資源を低減し、処理効率を向上できる。
【００４８】
好ましく、前記装置はさらに、設定画面を前記天気動画の背景とする場合、現在の日付を取得するための日付取得モジュールと、
現在の日付の属する季節を特定するための季節特定モジュールと、を含み、
前記生成モジュールはさらに、
前記現在の日付の属する季節に基づいて前記天気動画の背景タイプを特定するための第４の特定サブモジュールと、
前記天気動画的背景として前記背景タイプの対応する設定イメージを選択するための前記背景選出サブモジュールと、を含む。
【００４９】
好ましい方案において、固定的なイメージ背景に関しては、現在の季節に基づいて、対応する背景イメージを選択して動画を表示し、例えば、春夏秋冬という四季モードを設定し、それぞれのモードにおいて異なるイメージは異なる月に対応し、現在の時期に基づいて対応するイメージを動画背景として選択することができる。天気動画表示において季節要因を考慮することによって、ユーザに真実な体験を与え、体験度をより向上させる。
【００５０】
本発明の実施例の第３の態様によれば、天気表示装置を提供し、
プロセッサと、
プロセッサにより実行可能な指令を記憶するためのメモリと、を含み、
前記プロセッサは、
天気情報及び端末の姿勢情報を取得し、
前記天気情報及び前記端末の姿勢情報に基づいて天気動画を生成し、
前記端末において前記天気動画を表示するように構成される。
【００５１】
本実施例において、天気情報及び姿勢情報に基づいて天気動画を生成することによって、多種の天気状態に対し総合的な動態イメージ表示を行い、天気状態の表示をより正確、より真実、より直感的にすることができる。且つ、天気状態の表示に端末の現在の姿勢情報を組み合わせることによって、端末に対するユーザの使用状態を考慮した天気状態の表示を実現し、ユーザと効果的にインタラクションを行うことができて、天気状態の表示の効果がいっそう多様化になり、ユーザに真実な体験を与え、ユーザ体験度をより向上させることができる。
【００５２】
以上の一般的な記述及び以下の詳細な記述は、例示のものに過ぎず、本開示を限定するものではないと理解すべきである。
【図面の簡単な説明】
【００５３】
ここでの図面は、本明細書の一部として、本発明に適切な実施例を示し、明細書と合わせて本発明の原理を解釈する。
【図１】例示的な実施例における天気表示方法を示すフローチャートである。
【図２】他の例示的な実施例における天気表示方法を示すフローチャートである。
【図３】例示的な実施例における天気動画表示を示す模式図である。
【図４】例示的な実施例における天気動画表示を示す模式図である。
【図５】他の例示的な実施例における天気動画表示を示す模式図である。
【図６】他の例示的な実施例における天気動画表示を示す模式図である。
【図７】他の例示的な実施例における天気表示方法を示すフローチャートである。
【図８】他の例示的な実施例における天気表示方法を示すフローチャートである。
【図９】例示的な実施例における天気表示装置を示すブロック図である。
【図１０】例示的な実施例における生成モジュールを示すブロック図である。
【図１１】他の例示的な実施例における生成モジュールを示すブロック図である。
【図１２】他の例示的な実施例における天気表示装置を示すブロック図である。
【図１３】他の例示的な実施例における天気表示装置を示すブロック図である。
【図１４】例示的な実施例における天気表示に用いられる装置１３００を示すブロック図である。
【発明を実施するための形態】
【００５４】
ここで、図面に示された例示的な実施例を詳細に説明する。以下の内容において、図面を言及するとき、特に説明しない限り、異なる図面における同じ数字は同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の方面と一致する装置及び方法の例にすぎない。
【００５５】
図１は例示的な実施例における天気表示方法を示すフローチャートである。図１に示すように、天気表示方法は端末に用いられており、以下のステップを含む。
ステップＳ１１において、天気情報及び端末の姿勢情報を取得する。
ステップＳ１２において、天気情報及び姿勢情報に基づいて天気動画を生成する。
ステップＳ１３において、端末に天気動画を表示する。
【００５６】
上記のステップＳ１１において、端末はネットワークを介して、数種の天気状態を含む天気情報、例えば、晴れ、曇り、雨（異なる等級）、氷晶雨（freezing rain）、にわか雨、雪（異なる等級）、みぞれ、あられ｛ひょう｝、霧、砂嵐、粉塵、スモッグ（異なる等級）、風（風向、風力）、温度、湿度等の全ての天気に関わる情報を取得することができる。
【００５７】
上記のステップＳ１１において、端末においての既存の重力センサー、例えば、加速度計、ジャイロスコープ、電子コンパス等を用いて、端末の現在の姿勢情報、即ち、端末が水平に置かれるか、垂直に置かれるか、又は、傾斜して置かれるか、傾斜角度がいくらであるかが検出できる。さらに、端末のスクリーンが水平上向きまたは水平下向きかが検出できる。端末が異なる姿勢である場合、ユーザのために提示する天気動画も異なり、ユーザが端末の姿勢を変更する場合、これに応じてスクリーンに端末の現在の姿勢に対応する動画が表示される。
【００５８】
本実施例において、天気情報及び姿勢情報に基づいて天気動画を生成することによって、多種の天気状態に対し総合的な動態イメージ表示を行い、天気状態の表示をより正確、より真実、且つ、より直感的にすることができる。且つ、天気状態の表示に端末の現在の姿勢情報を組み合わせることによって、端末に対するユーザの使用状態を考慮した天気状態の表示を実現し、ユーザと効果的にインタラクションを行うことができて、天気状態の表示の効果がいっそう多様化になり、ユーザに真実な体験を与え、ユーザ体験度をより向上させることができる。
【００５９】
図２は他の例示的な実施例における天気表示方法を示すフローチャートである。図２に示すように、好ましく、上記のステップＳ１２は以下のステップを含む。
ステップＳ２１において、天気情報に基づいて天気動画を構成する少なくとも１つの天気素材を特定する。
ステップＳ２２において、端末の姿勢に基づいて少なくとも１つの天気素材における各天気素材の運動状態を特定する。
ステップＳ２３において、天気素材の運動状態に基づいて天気動画を生成する。
【００６０】
ここで、天気動画における天気素材とは、天気動画表示を構成する要素を指す。例えば、雨が降る天気動画に対応する天気素材は雨滴である。雪が降る天気動画に対応する天気素材は雪花である。砂嵐の天気動画に対する天気素材は砂粒である。晴れの天気動画に対応する天気素材は太陽、月又は雲を含み得る。
【００６１】
好ましい方案において、天気動画における天気素材の運動状態を特定することによって、天気動画がより正確、より真実、且つ、より直感的になるようにし、ユーザに真実な体験を与え、ユーザ体験度をより向上させることができる。
【００６２】
好ましく、前記天気情報は、天気のタイプ及び天気の等級を含む。天気素材のパラメータは天気素材のタイプ、各天気素材の対象の数及び各対象の大きさを含む。
【００６３】
上記のステップＳ２１は、前記天気のタイプ及び天気の等級に基づいて前記天気素材のタイプ、各天気素材の対象の数及び各対象の大きさを特定するステップを含む。
例えば、天気のタイプが雨、天気の等級が大雨である場合、天気動画における天気素材のタイプが雨滴、動画における雨滴の数が３００であることを特定し、それぞれの雨滴の大きさが同一に設置され得るし、異なるように設置され得る。
【００６４】
好ましい方案において、天気のタイプ及び天気の等級に基づいて、動画における天気素材をより詳しく表示し、天気状態の表示の真実性及び直感性を向上する。
【００６５】
好ましく、前記運動状態は初期位置及び運動軌跡を含む。
【００６６】
上記のステップＳ２２は、前記端末の姿勢情報に基づいて前記天気素材の各対象の初期位置及び運動軌跡を特定するステップを含む。上記のステップＳ２３は、前記端末に前記天気素材の各対象が前記初期位置から前記運動軌跡によって運動することを表示するステップを含む。
【００６７】
例えば、雨滴としては、端末が垂直に置かれる場合、雨滴の初期位置が天気動画の上端であることを特定する。端末が水平に置かれる場合、雨滴の初期位置が動画区域全体において任意に分布され得る。天気動画において、それぞれの雨の初期位置が異なるように設置することにより、天気動画をより真実にすることができる。
【００６８】
好ましい方案において、端末の姿勢情報に基づいて天気動画における各天気素材の初期位置及び運動軌跡を特定し、動画における天気素材をより詳しく表示し、天気状態の表示の真実性及び直感性を向上させる。
【００６９】
好ましく、前記端末の姿勢情報に基づいて、前記天気素材の各対象の初期位置及び運動軌跡を特定するステップは、
前記端末の姿勢情報に基づいて、前記天気素材の各対象の運動軌跡を前記初期位置から重力方向に沿って運動する軌跡として特定するステップを含む。
例えば、雨滴の運動軌跡としては、端末が何の姿勢にあっても、雨滴が重力方向に沿って降る。
【００７０】
好ましい方案において、素材が重力方向に沿って降るように設置し、動画における素材をより詳しく表示することによって、天気状態の表示の真実性を向上させる。
【００７１】
好ましく、前記端末の姿勢情報は、水平、垂直、傾斜を含むがこれらに限らない。端末が傾斜している場合、傾斜する方向及び角度等の情報をさらに取得できる。前記端末の姿勢情報に基づいて前記天気素材の各対象の運動軌跡を前記初期位置から重力方向に沿って運動する軌跡として特定するステップは、
前記端末が水平に置かれる場合、天気素材の各対象の運動軌跡を前記端末のスクリーンの存在する平面に垂直する方向に沿って運動する軌跡として特定し、
前記端末が垂直に置かれる場合、天気素材の各対象の運動軌跡を前記端末のスクリーンの存在する平面で上から下に向けて運動する軌跡として特定し、
前記端末が傾斜して置かれる場合、天気素材の各対象の運動軌跡を前記端末のスクリーンの存在する平面の鉛直方向に沿って上から下に向けて運動する軌跡として特定するステップを含む。
【００７２】
図３及び図４は例示的な実施例における天気動画表示を示す模式図である。
例えば、雨滴の落下軌跡を例として、図３に示すように、端末が垂直に置かれる場合、雨滴が端末のスクリーンの存在する平面で上から下に向けて落下するように表示され得る。図４に示すように、端末が傾斜して置かれる場合、雨滴は端末のスクリーンの存在する平面の鉛直方向に沿って上から下に向けて落下するように表示され得る。端末が水平に置かれる場合、雨滴がスクリーンのある平面に垂直する方向に沿って落下するように表示され得る。
【００７３】
好ましく、前記端末の姿勢情報は、さらに、前記端末のスクリーンの水平上向き姿勢、水平下向き姿勢を含む。前記端末の姿勢情報に基づいて前記天気素材の各対象の運動軌跡を前記初期位置から重力方向に沿って運動する軌跡として特定するステップは、
前記スクリーンが水平上向きである場合、天気素材の各対象の運動軌跡を、前記スクリーンのある平面に垂直な方向に沿って前記スクリーン外から前記スクリーン内へ落下する軌跡として特定するステップを含む。
【００７４】
前記スクリーンが水平下向きである場合、天気素材の各対象の運動軌跡を前記スクリーンのある平面に垂直な方向に沿って前記スクリーン内から前記スクリーン外へ落下する軌跡として特定する。
【００７５】
図５及び図６は他の例示的な実施例における天気動画表示を示す模式図である。
例えば、雨滴の落下軌跡を例として、図５に示すように、端末のスクリーンが水平上向きである場合、雨滴がスクリーン外からスクリーン内へ落下するように表示される。図６に示すように、端末のスクリーンが水平下向きである場合、雨滴がスクリーン内からスクリーン外へ落下するように表示される。
【００７６】
好ましい方案において、端末姿勢に基づいて天気動画を生成し、生成された動画の効果がより真実となり、ユーザに真実な体験を与え、ユーザ体験度を向上させる。
【００７７】
好ましく、前記天気情報はさらに、風力情報及び風向情報を含む。前記端末の姿勢情報に基づいて前記天気素材の各対象の初期位置及び運動軌跡を特定するステップは、天気素材のタイプ、各対象の大きさ、風力情報、風向情報及び端末の姿勢情報に基づいて天気素材の各対象の動画の各フレームにおける位置を算出するステップを含む。
【００７８】
例えば、雨滴の運動軌跡に関しては、天気情報及び端末の姿勢を総合的に考慮する必要がある。例えば、風が吹く場合、雨滴が垂直的に落下するのでなく、一定の角度で傾斜して落下するのである。風力及び風向情報に基づいて雨滴が落下する傾斜角度を算出し、風向が東であり、風力が３級である場合、雨滴がスクリーンの右側へ略比較的小さな角度で傾斜して落下するように設置し得る。
【００７９】
好ましい方案において、多種の天気状態の情報に基づいて天気動画を生成することによって、多種の天気状態に対する総合的な動態イメージ表示を実現し、天気状態に対する表示がより正確、より真実、より直感的になる。
【００８０】
好ましく、上記のステップＳ１２は、
前記端末のカメラによって撮像された画面を前記天気動画の背景とする、又は、設定画面を前記天気動画の背景とするステップを含む。
【００８１】
例えば、図３及び図４に示すように、設定画面を動画の背景とする、又は、図５及び図６に示すように、端末の後側のカメラを開き、撮影された画面を動画の背景とする。ここで、ユーザが頭を下げてスクリーンを見ると、雨がスクリーンから地面に落下する感じをする。ユーザが頭を上げてスクリーンを見ると、雨が空から落下する感じをする。
【００８２】
好ましい方案において、天気動画の背景は固定的な設定イメージであってもよいし、屋外シーンのイメージであってもよい。これにより、天気状態の表示をいっそう多様化にし、より真実、より直感的にし、ユーザに真実な体験を与え、ユーザ体験度をより向上させる。
【００８３】
図７は他の例示的な実施例における天気表示方法を示すフローチャートである。図７に示すように、好ましく、設定画面を前記天気動画の背景とする場合、前記方法はさらに以下のステップを含む。
ステップＳ７１において、現在の時間を取得する。
ステップＳ７２において、現在の時間に基づいて天気動画の背景色度値（ｃｏｌｏｒｉｍｅｔｒｉｃ  ｖａｌｕｅｓ）情報を特定する。
ステップＳ７３において、背景色度値情報に基づいて天気動画の背景の色度値を調整する。
【００８４】
好ましい方案において、固定のイメージ背景に関しては、時間変化に従い、天気動画の背景に異なる光度、色度の変化を表させることによって、時間に従う光線の変化を真実に表し、ユーザに真実な体験を与え、且つ、背景イメージを変更することは無く、その色度値だけを補正すればよく、記憶されるイメージ資源を低減し、処理効率を向上させる。
【００８５】
図８は他の例示的な実施例における天気表示方法を示すフローチャートである。図８に示すように、好ましく、設定画面を前記天気動画の背景とする場合、前記方法はさらに、
現在の日付を取得するステップＳ８１と、
現在の日付の属する季節を特定するステップＳ８２と、
現在の日付の属する季節に基づいて天気動画の背景タイプを特定するステップＳ８３と、
天気動画の背景として背景タイプに対応する設定イメージを選択するステップＳ８４と、を含む。
【００８６】
好ましい方案において、固定的なイメージ背景に関しては、現在の季節に基づき、対応する背景イメージを選択して動画を表示し、例えば、春夏秋冬という四季モードを設定し、それぞれのモードにおいて異なるイメージは異なる月に対応し、現在の時期に基づき対応するイメージを動画背景として選択できる。天気動画表示において季節要因を考慮して、ユーザの感じをより真実にし、体験度をより向上させる。
【００８７】
好ましく、さらに現在の環境の温度及び／または湿度を取得でき、現在の環境温度及び／または湿度に応じて天気動画の表示効果が調整できる。
【００８８】
本実施例において、雨、雪、氷あられ、砂ぼこり等の天気に関しては、多種の天気情報、例えば、雨、雪、氷あられ、砂ぼこり量の大きさ、風力、風向、現在の時間、季節、温度等、及び端末の姿勢、スクリーンの方向を総合的に考慮して、天気動画を生成する。稲妻の場合、稲妻の動画を加え、例えば、動画におけるある領域を突然に明るくすることによって稲妻の効果を達成できる。
【００８９】
晴れの天気に関しては、現在の時間、季節、温度等に基づいて、陽光の照射方向、色、又は月の形状、色等を設置できる。
【００９０】
曇りの天気に関しては、現在の風力、風向に基づいて、動画において雲が浮いている効果を表示できる。
【００９１】
霧又はヘイズの天気に関しては、背景の可視度を調整することによって霧又はヘイズの程度を表示する。
【００９２】
本実施例において、天気動画の生成はＡｎｄｒｏｉｄシステムにおけるＤｒａｗ機能を使用できる。例えば、停止せずにそれぞれの雨滴を描くことによって、雨の動画を生成する。３Ｄの効果を模擬しようとすれば、ＯｐｅｎＧＬ技術を用いて３Ｄの天気動画を生成できる。
【００９３】
本発明の天気表示方法による動画効果がより正確、より真実となり、ユーザに真実な体験を与え、ユーザ体験度をよりよくすることができる。
【００９４】
図９は例示的な実施例における天気表示装置を示すブロック図である。図９に示すように、該装置は取得モジュール９１、生成モジュール９２及び表示モジュール９３を含む。
取得モジュール９１は天気情報及び端末の姿勢情報を取得するように構成されている。
生成モジュール９２は前記天気情報及び前記端末の姿勢情報に基づいて天気動画を生成するように構成されている。
表示モジュール９３は前記端末に前記天気動画を表示するように構成されている。
【００９５】
図１０は例示的な実施例における生成モジュールを示すブロック図である。図１０に示すように、好ましく、生成モジュール９２は第１の特定サブモジュール９２１、第２の特定サブモジュール９２２と動画生成サブモジュール９２３を含む。
第１の特定サブモジュール９２１は、前記天気情報に基づいて前記天気動画を構成する少なくとも１つの天気素材を特定するように構成されている。
第２の特定サブモジュール９２２は、前記端末の姿勢に基づいて前記少なくとも１つの天気素材における各天気素材の運動状態を特定するように構成されている。
動画生成サブモジュール９２３は、前記天気素材の運動状態に基づいて前記天気動画を生成するように構成されている。
【００９６】
好ましく、前記取得モジュール９１が取得する天気情報は、天気のタイプと天気の等級を含む。前記第１の特定サブモジュール９２１が特定する天気素材のパラメータは、天気素材のタイプ、各天気素材の対象の数および各対象の大きさを含む。前記第１の特定サブモジュール９２１は、前記天気のタイプ及び天気の等級に基づいて前記天気素材のタイプ、各天気素材の対象の数及び各対象の大さを特定するように構成されている。
【００９７】
好ましく、前記第２の特定サブモジュール９２２が特定する運動状態は初期位置及び運動軌跡を含む。
前記第２の特定サブモジュール９２２は、前記端末の姿勢情報に基づいて前記天気素材の各対象の初期位置及び運動軌跡を特定するように構成されている。
前記表示モジュール９３は、前記端末に前記天気素材の各対象が前記初期位置から前記運動軌跡によって運動することを表示するように構成されている。
【００９８】
好ましく、前記第２の特定サブモジュール９２２は、前記端末の姿勢情報に基づいて、前記天気素材の各対象が前記初期位置から重力方向に沿って運動することを特定するように構成されている。
【００９９】
好ましく、前記取得モジュール９１が取得する端末の姿勢情報は、水平、垂直、傾斜を含む。前記第２の特定サブモジュール９２２は、前記端末が水平に置かれる場合、前記天気素材の各対象の運動軌跡を前記端末のスクリーンのある平面に垂直する方向に沿って運動する軌跡として特定し、前記端末が垂直に置かれる場合、前記天気素材の各対象の運動軌跡を前記端末のスクリーンのある平面で上から下に向けて運動する軌跡として特定し、前記端末が傾斜した置かれる場合、前記天気素材の各対象の運動軌跡が前記端末のスクリーンのある平面の鉛直方向において上から下に向けて運動するよう表示されることを特定するように構成されている。
【０１００】
好ましく、前記取得モジュール９１が取得する端末の姿勢情報はさらに、前記端末のスクリーンの水平上向き姿勢、水平下向き姿勢を含む。前記第２の特定サブモジュール９２２は、前記スクリーンが水平上向きである場合、前記天気素材の各対象の運動軌跡を、前記スクリーンのある平面に垂直する方向に沿って前記スクリーン外から前記スクリーン内へ落下する軌跡として特定し、前記スクリーンが水平下向きである場合、前記天気素材の各対象の運動軌跡を前記スクリーンのある平面に垂直する方向に沿って前記スクリーン内から前記スクリーン外へ落下する軌跡として特定するように構成されている。
【０１０１】
好ましく、前記取得モジュール９１が取得する天気情報は、さらに風力情報及び風向情報を含む。前記第２の特定サブモジュール９２２は、前記天気素材のタイプ、各対象大きさ、風力情報、風向情報及び前記端末の姿勢情報に基づいて、前記天気素材の各対象の動画の各フレームにおける位置を算出するように構成されている。
【０１０２】
図１１は他の例示的な実施例における生成モジュールを示すブロック図である。図１１に示すように、好ましく、前記生成モジュール９２は背景選出サブモジュール９２４を含む。
背景選出サブモジュール９２４は、前記端末のカメラによって撮像された画面を前記天気動画の背景とする、又は、設定画面を前記天気動画の背景とするように構成されている。
【０１０３】
図１２は他の例示的な実施例における天気表示装置を示すブロック図である。図１２に示すように、好ましく、前記装置はさらに時間取得モジュール９４を含む。
時間取得モジュール９４は、設定画面を前記天気動画の背景とする場合、現在の時間を取得するように構成されている。
前記生成モジュール９２は、さらに第３の特定サブモジュール９２５と調整サブモジュール９２６とを含む。
第３の特定サブモジュール９２５は、前記現在の時間に基づいて前記天気動画の背景色度値情報を特定するように構成されている。
調整サブモジュール９２６は、前記背景色度値情報に基づいて前記天気動画背景の色度値を調整するように構成されている。
【０１０４】
図１３は他の例示的な実施例における天気表示装置を示すブロック図である。図１３に示すように、好ましく、前記装置はさらに日付取得モジュール９５と季節特定モジュール９６とを含む。
日付取得モジュール９５は、設定画面を前記天気動画の背景とする場合、現在の日付を取得するように構成されている。
季節特定モジュール９６は、現在の日付の属する季節を特定するように構成されている。
前記生成モジュール９２はさらに第４の特定サブモジュール９２７を含む。
第４の特定サブモジュール９２７は、前記現在日付の属する季節に基づいて前記天気動画の背景タイプを特定するように構成されている。
背景選出サブモジュール９２４は、前記天気動画の背景として前記背景タイプに対応する設定イメージを選択するように構成されている。
【０１０５】
上記の実施例における装置に関しては、そのそれぞれのモジュールが操作を実行する具体的な形態は既に該方法に関する実施例において詳細的に記載されたので、ここで、詳しく説明しない。
【０１０６】
本実施において、天気情報及び姿勢情報に基づいて天気動画を生成することによって、多種の天気状態に対し総合的な動態イメージ表示を行い、天気状態の表示をより正確、より真実、より直感的にすることができる。且つ、天気状態の表示に端末の現在の姿勢情報を組み合わせることによって、端末に対するユーザの使用状態を考慮した天気状態の表示を実現し、ユーザと効果的にインタラクションを行うことができて、天気状態の表示の効果がいっそう多様化になり、ユーザに真実な体験を与え、ユーザ体験度をより向上させることができる。
【０１０７】
本発明はさらに天気表示装置を提供しており、
プロセッサと、
プロセッサの実行可能な指令を記憶するメモリと、を備えており、
前記プロセッサは、
天気情報及び端末の姿勢情報を取得し、
前記天気情報及び前記端末の姿勢情報に基づいて天気動画を生成し、
前記端末に前記天気動画を表示するように構成されている。
【０１０８】
本実施例において、天気情報及び姿勢情報に基づいて天気動画を生成することによって、多種の天気状態に対し総合的な動態イメージ表示を行い、天気状態の表示をより正確、より真実、より直感的にすることができる。且つ、天気状態の表示に端末の現在の姿勢情報を組み合わせることによって、端末に対するユーザの使用状態を考慮した天気状態の表示を実現し、ユーザと効果的にインタラクションを行うことができて、天気状態の表示の効果がいっそう多様化になり、ユーザに真実な体験を与え、ユーザ体験度をより向上させることができる。
【０１０９】
図１４は例示的な実施例における天気表示に用いられる装置１３００を示すブロック図である。例えば、装置１３００は携帯電話、コンピュータ、デジタル放送端末、メッセージ受発信装置、ゲームコンソールフラット装置、医療装置、ボディービル装置、パーソナルディジタルアシスタント等であり得る。
【０１１０】
図１４を参照して、装置１３００は、処理アセンブリ１３０２、メモリ１３０４、電源アセンブリ１３０６、マルチメディアアセンブリ１３０８、オーディオアセンブリ１３１０、Ｉ／Ｏ（入力／出力）インターフェース１３１２、センサアセンブリ１３１４及び通信アセンブリ１３１６からなる群から選ばれた１つ又は複数のアセンブリを備える。
【０１１１】
処理アセンブリ１３０２は通常に装置１３００の操作全体、例えば、表示、電話発信、データ通信、カメラ操作と記録操作に関わる操作を制御する。処理アセンブリ１３０２は、１つ又は複数のプロセッサ１３２０により指令を実行することにより、上記の方法全体又は一部を完成するステップを含む。なお、処理アセンブリ１３０２は１つ又は複数のモジュールを含み得、これにより、処理アセンブリ１３０２とその他のアセンブリとの間の協力に役立つ。例えば、処理アセンブリ１３０２はマルチメディアモジュールを含むことにより、マルチメディアアセンブリ１３０８と処理アセンブリ１３０２との間の協力に役立つ。
【０１１２】
メモリ１３０４は、各種類のデータを記憶することにより装置１３００での操作をサポートするように配置されている。これらのデータの例としては、装置１３００での操作のための任意のアプリプログラム又は方法の指令、連絡先データ、電話帳データ、メッセージ、イメージ、ビデオ等が挙げられる。メモリ１３０４は、任意のタイプの揮発性又は不揮発性記憶装置、或いはそれらの組合せ、例えば、スタティック・ランダム・アクセス・メモリ（ＳＲＡＭ）、電気的消去可能ＲＯＭ（ＥＥＰＲＯＭ）、電気的にプログラム可能なＲＯＭ（ＥＰＲＯＭ）、プログラマブルＲＯＭ（ＰＲＯＭ）、読み出し専用メモリ（ＲＯＭ）、磁気記憶装置、フラッシュメモリ、磁気ディスク又は光ディスクにより実現され得る。
【０１１３】
電力アセンブリ１３０６は、装置１３００の各種のアセンブリのために電力を提供する。電力アセンブリ１３０６は電源管理システム、１つ又は複数の電源、及び、装置１３００の生成、管理及び電力割当に関わる他のアセンブリを含み得る。
【０１１４】
マルチメディアアセンブリ１３８は、装置１３００とユーザとの間で１つの出力インターフェースを提供するスクリーンを含む。一部の実施例において、スクリーンは、液晶ディスプレイ（ＬＣＤ）とタッチパネル（ＴＰ）を含み得る。スクリーンがタッチパネルを含む場合、スクリーンはタッチパネルとして実現されることにより、ユーザからの入力信号を受信できる。タッチパネルは１つ又は複数のタッチセンサを含むことで、タッチ、スライド及びタッチパネルにおけるジェスチャーを検知する。前記タッチセンサはタッチ又はスライド動作の境界を検知できるだけでなく、タッチ又はスライド操作に関わる持続時間及び圧力を検知できる。一部の実施例において、マルチメディアアセンブリ１３０８は１つのフロントカメラ及び／又はリアカメラを含む。装置１３００が操作モード、例えば、撮像モード又はビデオモードにある場合、フロントカメラ及び／又はリアカメラは外部のマルチメディアデータを受信可能である。フロントカメラとリアカメラとはそれぞれ１つの固定の光学レンズ系であり得る、又は、焦点及び光学ズーム能力を有する。
【０１１５】
オーディオアセンブリ１３１０は、オーディオ信号を出力及び／又は入力するように配置される。例えば、オーディオアセンブリ１３１０は１つのマイクロフォン（ＭＩＣ）を含み、装置８００が操作モード、例えば、発信モード、記録モード及び音声認識モードにある場合、マイクロフォンは外部オーディオ信号を受信するように配置される。受信されたオーディオ信号はさらにメモリ１３０４に記憶される、又は通信アセンブリ１３１６を介して送信される。一部の実施例において、オーディオアセンブリ１３１０はオーディオ信号を出力するためのスピーカをさらに備える。
【０１１６】
Ｉ／Ｏインターフェース１３１２は、処理用アセンブリ１３０２と周辺インターフェースモジュールとの間のためインターフェースを提供し、上記の周辺インターフェースモジュールはキーボード、ホイール、ボタン等であり得る。これらのボタンはホームページボタン、ボリュームボタン、起動ボタン及びロック釦を含むが、これらに限られない。
【０１１７】
センサアセンブリ１３１４は１つ又は複数のセンサを含み、装置１３００のためにそれぞれの方面の状態評価を提供する。例えば、センサアセンブリ１３１４は装置８００の開放／閉鎖状態、アセンブリの相対位置決めを検出でき、例えば、アセンブリは装置１３００のディスプレイとキーパッドであり、センサアセンブリ１３１４は装置１３００又は装置１３００の１つのアセンブリの位置変化、ユーザと装置１３００との接触の存否、装置１３００方位又は加速／減速及び装置１３００の温度変化を検出できる。センサアセンブリ１３１４は任意の物理接触が無い場合付近の物体の存在を測定するように配置される近接センサを含み得る。センサアセンブリ１３１４は、結像アプリに用いられる光センサ、例えば、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ：相補型ＭＯＳ）又はＣＣＤ（Ｃｈａｒｇｅ−ｃｏｕｐｌｅｄ  Ｄｅｖｉｃｅ：電荷結合素子）図像センサを含み得る。一部の実施例において、当該センサアセンブリ１３１４は加速度センサ、ジャイロスコープセンサ、磁センサ、圧力センサ又は温度センサを含み得る。
【０１１８】
通信アセンブリ１３１６は、装置１３００とその他の装置との間での有線あるいは無線方式の通信に役立つように配置される。装置１３００は、通信基準に基づく無線ネットワーク、例えば、ＷｉＦｉ、２Ｇ又は３Ｇ、又はそれらの組合せをアクセスし得る。１つの例示的な実施例において、通信アセンブリ１３１６は放送チャンネルを介して外部放送システムからの放送信号又は放送関係情報を受信する。１つの例示的な実施例において、前記通信アセンブリ１３１６は近距離無線通信（ＮＦＣ）モジュールをさらに備えることにより短距離通信を促進する。例えば、ＮＦＣモジュールは無線自動識別装置（ＲＦＩＤ）技術、赤外線通信協会（ＩｒＤＡ）技術、超広帯域（ＵＷＢ）技術、ブルートゥース（ＢＴ）技術及び他の技術に基づいて実現され得る。
【０１１９】
例示的な実施例において、装置１３００は１つ又は複数の特定用途向け集積回路（ＡＳＩＣ）、デジタル信号プロセッサ（ＤＳＰ）、デジタル信号プロセッサ装置（ＤＳＰＤ）、プログラム可能論理デバイス（ＰＬＤ）、フィールドプログラマブルゲートアレイ（ＦＰＧＡ）、コントローラ、マイクロコントローラ、マイクロプロセッサ又は他の電子素子により実現され得、上記のアプリケーションのアンインストール案内方法を実行する。
【０１２０】
例示的な実施例において、指令を含む非一時的なコンピュータ可読記憶媒体、例えば、指令を含むメモリ１３０４も提供されており、上記の指令は装置１３００のプロセッサ１３２０により実行されて上記の方法を実現する。例えば、前記非一時的なコンピュータ可読記憶媒体は、ＲＯＭ、ランダム・アクセス・メモリ（ＲＡＭ）、ＣＤ−ＲＯＭ（シーディーロム）、カセット、フロッピー・ディスク及び光データ記憶装置等であり得る。
【０１２１】
非一時的なコンピュータで読み取り可能な記憶媒体であって、当該記録媒体中の命令が携帯端末のプロセッサによって実行される際に、携帯端末にアプリケーションのアンインストール案内方法を実行させることができる。前記方法は、
天気情報及び端末の姿勢情報を取得するステップと、
前記天気情報及び前記端末の姿勢情報に基づいて天気動画を生成するステップと、
前記端末において前記天気動画を表示するステップと、を含む。
【０１２２】
好ましく、前記天気情報及び前記端末の姿勢情報に基づいて天気動画を生成するステップは、
前記天気情報に基づいて前記天気動画を構成する少なくとも１つの天気素材を特定するステップと、
前記端末の姿勢情報に基づいて前記少なくとも１つの天気素材における各天気素材の運動状態を特定するステップと、
前記天気素材の運動状態に基づいて前記天気動画を生成するステップと、を含む。
【０１２３】
好ましく、前記天気情報は天気のタイプ及び天気の等級を含む。前記天気素材のパラメータは天気素材のタイプ、各天気素材の対象の数及び各対象の大きさを含む。
前記天気情報に基づいて前記天気動画を構成する少なくとも１つの天気素材を特定するステップは、
前記天気のタイプ及び天気の等級に基づいて前記天気素材のタイプ、各天気素材の対象の数及び各対象の大きさを特定するステップを含む。
【０１２４】
好ましく、前記運動状態は初期位置及び運動軌跡を含み、
前記端末の姿勢情報に基づいて少なくとも１つの天気素材における各天気素材の運動状態を特定するステップは、
前記端末の姿勢情報に基づいて前記天気素材の各対象の初期位置及び運動軌跡を特定するステップを含む。
【０１２５】
前記端末において前記天気動画を表示するステップは、
前記端末において前記天気素材の各対象が前記初期位置から前記運動軌跡に沿って運動することを表示するステップを含む。
【０１２６】
好ましく、前記端末の姿勢情報に基づいて前記天気素材の各対象の初期位置及び運動軌跡を特定するステップは、
前記端末の姿勢情報に基づいて前記天気素材の各対象の運動軌跡を前記初期位置から重力方向に沿って運動する軌跡として特定するステップを含む。
【０１２７】
好ましく、前記端末の姿勢情報は水平、垂直、傾斜を含み、
前記端末の姿勢情報に基づいて前記天気素材の各対象の運動軌跡を前記初期位置から重力方向に沿って運動する軌跡として特定するステップは、
前記端末が水平に置かれる場合、前記天気素材の各対象の運動軌跡を前記端末のスクリーンの存在する平面に垂直する方向に沿って運動する軌跡として特定するステップと、
前記端末が垂直に置かれる場合、前記天気素材の各対象の運動軌跡を前記端末のスクリーンの存在する平面で上から下に向けて運動する軌跡として特定するステップと、
前記端末が傾斜して置かれる場合、前記天気素材の各対象の運動軌跡を前記端末のスクリーンの存在する平面の鉛直方向に沿って上から下に向けて運動する軌跡として特定するステップと、を含む。
【０１２８】
好ましく、前記端末の姿勢情報はさらに前記端末のスクリーンが水平上向き姿勢、水平下向き姿勢を含み、
前記端末の姿勢情報に基づいて前記天気素材の各対象の運動軌跡を前記初期位置から重力方向に沿って運動する軌跡として特定するステップは、
前記スクリーンが水平上向きである場合、前記天気素材の各対象の運動軌跡を前記スクリーンの存在する平面に垂直な方向に沿って前記スクリーン外から前記スクリーン内へ落下する軌跡として特定するステップと、
前記スクリーンが水平下向きである場合、前記天気素材の各対象の運動軌跡を前記スクリーンの存在する平面に垂直な方向に沿って前記スクリーン内から前記スクリーン外へ落下する軌跡として特定するステップと、を含む。
【０１２９】
好ましく、前記天気情報はさらに風力情報及び風向情報を含み、
前記端末の姿勢情報に基づいて前記天気素材の各対象の初期位置及び運動軌跡を特定するステップは、
前記天気素材のタイプ、各対象の大きさ、風力情報、風向情報及び前記端末の姿勢情報に基づいて、前記天気素材の各対象が動画の各フレームにおける位置を特定するステップを含む。
【０１３０】
好ましく、前記天気情報及び前記端末の姿勢情報に基づいて天気動画を生成するステップは、
前記端末のカメラによって撮像された画面を前記天気動画の背景とする、又は、設定画面を前記天気動画の背景とするステップを含む。
【０１３１】
好ましく、設定画面を前記天気動画の背景とする場合、前記方法は、
現在の時間を取得するステップと、
現在の時間に基づいて前記天気動画の背景色度値情報を特定するステップと、
前記背景色度値情報に基づいて前記天気動画の背景の色度値を調整するステップと、を含む。
【０１３２】
好ましく、設定画面を前記天気動画の背景とする場合、前記方法は、
現在の日付を取得するステップと、
現在の日付の属する季節を特定するステップと、
前記現在の日付の属する季節に基づいて前記天気動画の背景タイプを特定するステップと、
前記天気動画の背景として前記背景タイプの対応する設定イメージを選択するステップと、を含む。
【０１３３】
本実施例において、天気情報及び姿勢情報に基づいて天気動画を生成することによって、多種の天気状態に対し総合的な動態イメージ表示を行い、天気状態の表示をより正確、より真実、より直感的にすることができる。且つ、天気状態の表示に端末の現在の姿勢情報を組み合わせることによって、端末に対するユーザの使用状態を考慮した天気状態の表示を実現し、ユーザと効果的にインタラクションを行うことができて、天気状態の表示の効果がいっそう多様化になり、ユーザに真実な体験を与え、ユーザ体験度をより向上させることができる。
【０１３４】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づき、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１３５】
本発明は、上記において開示された構成又は図面に示した構造に限定されるものではなく、本発明の範囲内であれば、様々な補正又は変更を行うことができる。本発明の範囲は、特許請求の範囲により制限される。
【０１３６】
本願は、出願番号が２０１４１０３９７２８７．６であって、出願日が２０１４年８月１２日である中国特許出願に基づき優先権を主張し、当該中国特許出願のすべての内容を本願に援用する。
【図１】
2016536712.tif 000003
【図２】
2016536712.tif 000004
【図３】
2016536712.tif 000005
【図４】
2016536712.tif 000006
【図５】
2016536712.tif 000007
【図６】
2016536712.tif 000008
【図７】
2016536712.tif 000009
【図８】
2016536712.tif 000010
【図９】
2016536712.tif 000011
【図１０】
2016536712.tif 000012
【図１１】
2016536712.tif 000013
【図１２】
2016536712.tif 000014
【図１３】
2016536712.tif 000015
【図１４】
2016536712.tif 000016
【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
天気情報及び端末の姿勢情報を取得するステップと、
前記天気情報及び前記端末の姿勢情報に基づいて天気動画を生成するステップと、
前記端末において前記天気動画を表示するステップと、を含むことを特徴とする天気表示方法。
【請求項２】
前記天気情報及び前記端末の姿勢情報に基づいて天気動画を生成するステップは、
前記天気情報に基づいて前記天気動画を構成する少なくとも１つの天気素材を特定するステップと、
前記端末の姿勢情報に基づいて前記少なくとも１つの天気素材における各天気素材の運動状態を特定するステップと、
前記天気素材の運動状態に基づいて前記天気動画を生成するステップと、を含むことを特徴とする請求項１に記載の方法。
【請求項３】
前記天気情報は、天気のタイプ及び天気の等級を含み、前記天気素材のパラメータは天気素材のタイプ、各天気素材の対象の数及び各対象の大きさを含んでおり、
前記天気情報に基づいて前記天気動画を構成する少なくとも１つの天気素材を特定するステップは、
前記天気のタイプ及び天気の等級に基づいて前記天気素材のタイプ、各天気素材の対象の数及び各対象の大きさを特定するステップを含むことを特徴とする請求項２に記載の方法。
【請求項４】
前記運動状態は初期位置及び運動軌跡を含んでおり、
前記端末の姿勢情報に基づいて少なくとも１つの天気素材における各天気素材の運動状態を特定するステップは、
前記端末の姿勢情報に基づいて前記天気素材の各対象の初期位置及び運動軌跡を特定するステップを含み、
前記端末において前記天気動画を表示するステップは、
前記端末において前記天気素材の各対象が前記初期位置から前記運動軌跡に沿って運動することを表示するステップを含むことを特徴とする請求項３に記載の方法。
【請求項５】
前記端末の姿勢情報に基づいて前記天気素材の各対象の初期位置及び運動軌跡を特定するステップは、
前記端末の姿勢情報に基づいて前記天気素材の各対象が前記初期位置から重力方向に沿って運動することを特定するステップを含むことを特徴とする請求項４に記載の方法。
【請求項６】
前記端末の姿勢情報は、水平、垂直、傾斜を含み、
前記端末の姿勢情報に基づいて前記天気素材の各対象の運動軌跡を前記初期位置から重力方向に沿って運動する軌跡として特定するステップは、
前記端末が水平に置かれる場合、前記天気素材の各対象の運動軌跡を前記端末のスクリーンの存在する平面に垂直する方向に沿って運動する軌跡として特定するステップと、
前記端末が垂直に置かれる場合、前記天気素材の各対象の運動軌跡を前記端末のスクリーンの存在する平面で上から下に向けて運動する軌跡として特定するステップと、
前記端末が傾斜して置かれる場合、前記天気素材の各対象の運動軌跡を前記端末のスクリーンの存在する平面の鉛直方向に沿って上から下に向けて運動する軌跡として特定するステップと、を含むことを特徴とする請求項５に記載の方法。
【請求項７】
前記端末の姿勢情報はさらに前記端末のスクリーンの水平上向き姿勢、水平下向き姿勢を含み、
前記端末の姿勢情報に基づいて前記天気素材の各対象の運動軌跡を前記初期位置から重力方向に沿って運動する軌跡として特定するステップは、
前記スクリーンが水平上向きである場合、前記天気素材の各対象の運動軌跡を前記スクリーンの存在する平面に垂直な方向に沿って前記スクリーン外から前記スクリーン内へ落下する軌跡として特定するステップと、
前記スクリーンが水平下向きである場合、前記天気素材の各対象の運動軌跡を前記スクリーンの存在する平面に垂直な方向に沿って前記スクリーン内から前記スクリーン外へ落下する軌跡として特定するステップと、を含むことを特徴とする請求項５に記載の方法。
【請求項８】
前記天気情報はさらに風力情報及び風向情報を含み、
前記端末の姿勢情報に基づいて前記天気素材の各対象の初期位置及び運動軌跡を特定するステップは、
前記天気素材のタイプ、各対象の大きさ、風力情報、風向情報及び前記端末の姿勢情報に基づいて、前記天気素材の各対象が動画の各フレームにおける位置を特定するステップを含むことを特徴とする請求項４に記載の方法。
【請求項９】
前記天気情報及び前記端末の姿勢情報に基づいて天気動画を生成するステップは、
前記端末のカメラによって撮像された画面を前記天気動画の背景とする、又は、設定画面を前記天気動画の背景とするステップを含むことを特徴とする請求項１に記載の方法。
【請求項１０】
設定画面を前記天気動画の背景とする場合、前記方法はさらに、
現在の時間を取得するステップと、
現在の時間に基づいて前記天気動画の背景色度値情報を特定するステップと、
前記背景色度値情報に基づいて前記天気動画の背景の色度値を調整するステップと、を含むことを特徴とする請求項９に記載の方法。
【請求項１１】
設定画面を前記天気動画の背景とする場合、前記方法はさらに、
現在の日付を取得するステップと、
現在の日付の属する季節を特定するステップと、
前記現在の日付の属する季節に基づいて前記天気動画の背景タイプを特定するステップと、
前記天気動画の背景として前記背景タイプの対応する設定イメージを選択するステップと、を含むことを特徴とする請求項９に記載の方法。
【請求項１２】
天気情報及び端末の姿勢情報を取得するための取得モジュールと、
前記天気情報及び前記端末の姿勢情報に基づいて天気動画を生成するための生成モジュールと、
前記端末において前記天気動画を表示するための表示モジュールと、を備えることを特徴とする天気表示装置。
【請求項１３】
前記生成モジュールは、
前記天気情報に基づいて前記天気動画を構成する少なくとも１つの天気素材を特定するための第１の特定サブモジュールと、
前記端末の姿勢情報に基づいて前記少なくとも１つの天気素材における各天気素材の運動状態を特定するための第２の特定サブモジュールと、
前記天気素材の運動状態に基づいて前記天気動画を生成するための動画生成サブモジュールと、を含むことを特徴とする請求項１２に記載の装置。
【請求項１４】
前記取得モジュールが取得する天気情報は天気のタイプ及び天気の等級を含み、
前記第１の特定サブモジュールが特定する天気素材のパラメータは天気素材のタイプ、各天気素材の対象の数及び各対象の大きさを含み、
前記第１の特定サブモジュールは、前記天気のタイプ及び天気の等級に基づいて前記天気素材のタイプ、各天気素材の対象の数及び各対象の大きさを特定するために用いられることを特徴とする請求項１３に記載の装置。
【請求項１５】
前記第２の特定サブモジュールが特定する運動状態は初期位置及び運動軌跡を含み、
前記第２の特定サブモジュールは、前記端末の姿勢情報に基づいて前記天気素材の各対象の初期位置及び運動軌跡を特定するために用いられ、
前記表示モジュールは、前記端末において前記天気素材の各対象が前記初期位置から前記運動軌跡に沿って運動することを表示するために用いられることを特徴とする請求項１４に記載の装置。
【請求項１６】
前記第２の特定サブモジュールは、前記端末の姿勢情報に基づいて前記天気素材の各対象の運動軌跡を前記初期位置から重力方向に沿って運動する軌跡として特定するために用いられることを特徴とする請求項１５に記載の装置。
【請求項１７】
前記取得モジュールが取得する端末の姿勢情報は、水平、垂直、傾斜を含み、
前記第２の特定サブモジュールは、
前記端末が水平に置かれる場合、前記天気素材の各対象の運動軌跡を前記端末のスクリーンの存在する平面に垂直する方向に沿って運動する軌跡として特定し、前記端末が垂直に置かれる場合、前記天気素材の各対象の運動軌跡を前記端末のスクリーンの存在する平面で上から下に向けて運動する軌跡として特定し、前記端末が傾斜して置かれる場合、前記天気素材の各対象の運動軌跡を前記端末のスクリーンの存在する平面の鉛直方向に沿って上から下に向けて運動する軌跡として特定するために用いられることを特徴とする請求項１６に記載の装置。
【請求項１８】
前記取得モジュールが取得する端末の姿勢情報は、さらに前記端末のスクリーンの水平上向き姿勢、水平下向き姿勢を含み、
前記第２の特定サブモジュールは、
前記スクリーンが水平上向きである場合、前記天気素材の各対象の運動軌跡を前記スクリーンの存在する平面に垂直な方向に沿って前記スクリーン外から前記スクリーン内へ落下する軌跡として特定し、前記スクリーンが水平下向きである場合、前記天気素材の各対象の運動軌跡を前記スクリーンの存在する平面に垂直な方向に沿って前記スクリーン内から前記スクリーン外へ落下する軌跡として特定するために用いられることを特徴とする請求項１６に記載の装置。
【請求項１９】
前記取得モジュールが取得する天気情報はさらに風力情報及び風向情報を含み、
前記第２の特定サブモジュールは、前記天気素材のタイプ、各対象の大きさ、風力情報、風向情報及び前記端末の姿勢情報に基づいて、前記天気素材の各対象が動画の各フレームにおける位置を特定するために用いられることを特徴とする請求項１５に記載の装置。
【請求項２０】
前記生成モジュールは、
前記端末のカメラによって撮像された画面を前記天気動画の背景とする、又は、設定画面を前記天気動画の背景とするための背景選出サブモジュールを含むことを特徴とする請求項１２に記載の装置。
【請求項２１】
前記装置はさらに、
設定画面を前記天気動画の背景とする場合、現在の時間を取得するための時間取得モジュールを含み、
前記生成モジュールはさらに、
現在の時間に基づいて前記天気動画の背景色度値情報を特定するための第３の特定サブモジュールと、
前記背景色度値情報に基づいて前記天気動画の背景の色度値を調整するための調整サブモジュールと、を含むことを特徴とする請求項２０に記載の装置。
【請求項２２】
前記装置はさらに、
設定画面を前記天気動画の背景とする場合、現在の日付を取得するための日付取得モジュールと、
現在の日付の属する季節を特定するための季節特定モジュールと、を含み、
前記生成モジュールはさらに、
前記現在の日付の属する季節に基づいて前記天気動画の背景タイプを特定するための第４の特定サブモジュールと、
前記天気動画の背景として前記背景タイプの対応する設定イメージを選択するための前記背景選出サブモジュールと、を含むことを特徴とする請求項２０に記載の装置。
【請求項２３】
プロセッサと、
プロセッサにより実行可能な指令を記憶するためのメモリと、を含み、
前記プロセッサは、
天気情報及び端末の姿勢情報を取得し、
前記天気情報及び前記端末の姿勢情報に基づいて天気動画を生成し、
前記端末において前記天気動画を表示するように構成されることを特徴とする天気表示装置。
【請求項２４】
プロセッサに実行されることにより、請求項１から請求項１１のいずれかに記載の天気表示方法を実現する記録媒体に記録されたプログラム。
【請求項２５】
請求項２４に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本発明は情報処理技術分野に関し、特に、天気表示方法、装置、プログラム及び記録媒体に関する。
【背景技術】
【０００２】
ここ数年来、スマートフォンの発展に従い、携帯電話のアプリケーションは人々の生活に不可欠な製品となる。従来から人類の生活に必要なものとして、天気情報の取得は携帯電話のアプリケーションにおいて比較的重要な地位を占める。
【０００３】
天気アプリケーションは大規模に発展し、市場において様々な天気アプリケーション製品が現れている。関係技術において、天気アプリケーションは天気状態を表し、一般的にはアプリケーションにおいて一部のイメージ又は動画を予め作成し、そして、異なる天気のタイプに基づいてこれらのイメージ又は動画をアプリケーションのインターフェースに設置する。
【０００４】
しかしながら、関係技術において、天気アプリケーションにおける予め設定されるイメージ又は動画の何れも固定的なものであるので、同時に多種の天気状態が存在している場合、例えば、同時に風が吹き雨が降っている場合、多種の天気状態について総合的な動態表示を行うことができず、天気状態の表示が不正確、不真実になってしまうという問題はある。なお、天気アプリケーションは天気の表示効果が単一であるので、ユーザはずっと変わらない天気の表示方式に退屈し、ユーザ体験度が比較的悪いという問題もある。
【発明の概要】
【０００５】
関係技術に存在している課題を解決するために、本発明の実施例は天気表示方法、装置、プログラム及び記録媒体を提供する。
【０００６】
本発明の実施例の第１の態様によれば、天気表示方法を提供し、前記方法は、
天気情報及び端末の姿勢情報を取得するステップと、
前記天気情報及び前記端末の姿勢情報に基づいて天気動画を生成するステップと、
前記端末において前記天気動画を表示するステップと、を含む。
【０００７】
本実施例において、天気情報及び姿勢情報に基づいて天気動画を生成することによって、多種の天気状態に対し総合的な動態イメージ表示を行い、天気状態の表示をより正確、より真実、且つ、より直感的にすることができる。且つ、天気状態の表示に端末の現在の姿勢情報を組み合わせることによって、端末に対するユーザの使用状態を考慮した天気状態の表示を実現し、ユーザと効果的にインタラクションを行うことができて、天気状態の表示の効果がいっそう多様化になり、ユーザに真実な体験を与え、ユーザ体験度をより向上させることができる。
【０００８】
好ましく、前記天気情報及び前記端末の姿勢情報に基づいて天気動画を生成するステップは、
前記天気情報に基づいて前記天気動画を構成する少なくとも１つの天気素材を特定するステップと、
前記端末の姿勢情報に基づいて前記少なくとも１つの天気素材における各天気素材の運動状態を特定するステップと、
前記天気素材の運動状態に基づいて前記天気動画を生成するステップと、を含む。
【０００９】
好ましい方案において、天気動画における天気素材の運動状態を特定することによって、天気動画がより正確、より真実、且つ、より直感的になり、ユーザに真実な体験を与え、ユーザ体験度をより向上させることができる。
【００１０】
好ましく、前記天気情報は、天気のタイプ及び天気の等級を含み、前記天気素材のパラメータは天気素材のタイプ、各天気素材の対象の数及び各対象の大きさを含んでおり、
前記天気情報に基づいて前記天気動画を構成する少なくとも１つの天気素材を特定するステップは、
前記天気のタイプ及び天気の等級に基づいて前記天気素材のタイプ、各天気素材の対象の数及び各対象の大きさを特定するステップを含む。
【００１１】
好ましい方案において、天気のタイプ及び天気の等級に基づいて、動画における天気素材をより詳しく表示し、天気状態の表示の真実性及び直感性を向上する。
【００１２】
好ましく、前記運動状態は初期位置及び運動軌跡を含んでおり、
前記端末の姿勢情報に基づいて少なくとも１つの天気素材における各天気素材の運動状態を特定するステップは、
前記端末の姿勢情報に基づいて前記天気素材の各対象の初期位置及び運動軌跡を特定するステップを含み、
前記端末において前記天気動画を表示するステップは、
前記端末において前記天気素材の各対象が前記初期位置から前記運動軌跡に沿って運動することを表示するステップを含む。
【００１３】
好ましい方案において、端末の姿勢情報に基づいて天気動画における各天気素材の初期位置及び運動軌跡を特定し、動画における天気素材を詳しく表示し、天気状態の表示の真実性及び直感性を向上させる。
【００１４】
好ましく、前記端末の姿勢情報に基づいて前記天気素材の各対象の初期位置及び運動軌跡を特定するステップは、
前記端末の姿勢情報に基づいて前記天気素材の各対象が前記初期位置から重力方向に沿って運動することを特定するステップを含む。
【００１５】
好ましい方案において、素材が重力方向に沿って落下するように設定し、動画おける素材を詳しく表示し、天気状態の表示の真実性を向上させる。
【００１６】
好ましく、前記端末の姿勢情報は、水平、垂直、傾斜を含み、
前記端末の姿勢情報に基づいて前記天気素材の各対象の運動軌跡を前記初期位置から重力方向に沿って運動する軌跡として特定するステップは、
前記端末が水平に置かれる場合、前記天気素材の各対象の運動軌跡を前記端末のスクリーンの存在する平面に垂直する方向に沿って運動する軌跡として特定するステップと、
前記端末が垂直に置かれる場合、前記天気素材の各対象の運動軌跡を前記端末のスクリーンの存在する平面で上から下に向けて運動する軌跡として特定するステップと、
前記端末が傾斜して置かれる場合、前記天気素材の各対象の運動軌跡を前記端末のスクリーンの存在する平面の鉛直方向に沿って上から下に向けて運動する軌跡として特定するステップと、を含む。
【００１７】
好ましい方案において、端末姿勢に基づいて天気動画を生成し、生成される動画の効果がより真実になり、ユーザに真実な体験を与え、ユーザ体験度を向上させる。
【００１８】
好ましく、前記端末の姿勢情報はさらに前記端末のスクリーンの水平上向き姿勢、水平下向き姿勢を含み、
前記端末の姿勢情報に基づいて前記天気素材の各対象の運動軌跡を前記初期位置から重力方向に沿って運動する軌跡として特定するステップは、
前記スクリーンが水平上向きである場合、前記天気素材の各対象の運動軌跡を前記スクリーンの存在する平面に垂直な方向に沿って前記スクリーン外から前記スクリーン内へ落下する軌跡として特定するステップと、
前記スクリーンが水平下向きである場合、前記天気素材の各対象の運動軌跡を前記スクリーンの存在する平面に垂直な方向に沿って前記スクリーン内から前記スクリーン外へ落下する軌跡として特定するステップと、を含む。
【００１９】
好ましい方案において、端末姿勢に基づいて天気動画を生成し、生成される動画の効果がより真実になり、ユーザに真実な体験を与え、ユーザ体験度を向上させる。
【００２０】
好ましく、前記天気情報はさらに風力情報及び風向情報を含み、
記端末の姿勢情報に基づいて前記天気素材の各対象の初期位置及び運動軌跡を特定するステップは、
前記天気素材のタイプ、各対象の大きさ、風力情報、風向情報及び前記端末の姿勢情報に基づいて前記天気素材の各対象が動画の各フレームにおける位置を特定するステップを含む。
【００２１】
好ましい方案において、多種の天気状態の情報に基づいて天気動画を生成することによって、多種の天気状態に対する総合的な動態動画表示を実現し、天気状態に対する表示がより正確、より真実、且つ、より直感的になる。
【００２２】
好ましく、前記天気情報及び前記端末の姿勢情報に基づいて天気動画を生成するステップは、
前記端末のカメラによって撮像された画面を前記天気動画の背景とする、又は、設定画面を前記天気動画の背景とするステップを含む。
【００２３】
好ましい方案において、天気動画の背景が固定的な設定イメージであってもよいし、屋外シーンのイメージであってもよい。これにより、天気状態の表示を多様化にし、且つ、より真実、より直感的にし、ユーザに真実な体験を与え、ユーザ体験度をより向上させることができる。
【００２４】
好ましく、設定画面を前記天気動画の背景とする場合、前記方法はさらに、
現在の時間を取得するステップと、
現在の時間に基づいて前記天気動画の背景色度値情報を特定するステップと、
前記背景色度値情報に基づいて前記天気動画の背景の色度値を調整するステップと、を含む。
【００２５】
好ましい方案において、固定的なイメージ背景に関しては、時間変化に従い、天気動画の背景に異なる光度、色度の変化を呈させることにより、真実に光線の時間に従う変化を呈し、ユーザに真実な体験を与え、背景イメージを変更する必要がなく、その色度値だけを変更すればよく、記憶されるイメージ資源を低減し、処理効率を向上させる。
【００２６】
好ましく、設定画面を前記天気動画の背景とする場合、前記方法はさらに、
現在の日付を取得するステップと、
現在の日付の属する季節を特定するステップと、
前記現在の日付の属する季節に基づいて前記天気動画の背景タイプを特定するステップと、
前記天気動画的背景として前記背景タイプの対応する設定イメージを選択するステップと、を含む。
【００２７】
好ましい方案において、固定的なイメージ背景に関しては、現在の季節に基づいて、対応する背景イメージを選択して動画を表示し、例えば、春夏秋冬という四季モードを設定し、それぞれのモードにおいて異なるイメージは異なる月に対応し、現在の時期に基づいて対応するイメージを動画背景として選択することができる。天気動画表示において季節要因を考慮することによって、ユーザに真実な体験を与え、体験度をより向上させることができる。
【００２８】
本発明の実施例の第２の態様によれば、天気表示装置を提供し、
天気情報及び端末の姿勢情報を取得するための取得モジュールと、
前記天気情報及び前記端末の姿勢情報に基づいて天気動画を生成するための生成モジュールと、
前記端末において前記天気動画を表示するための表示モジュールと、を備える。
【００２９】
本実施例において、天気情報及び姿勢情報に基づいて天気動画を生成することによって多種の天気状態に対し総合的な動態イメージ表示を行い、天気状態の表示をより正確、より真実、より直感的にすることができる。且つ、天気状態の表示に端末の現在の姿勢情報を組み合わせることによって、端末に対するユーザの使用状態を考慮した天気状態の表示を実現し、ユーザと効果的にインタラクションを行うことができて、天気状態の表示の効果がいっそう多様化になり、ユーザに真実な体験を与え、ユーザ体験度をより向上させることができる。
【００３０】
好ましく、前記生成モジュールは、
前記天気情報に基づいて前記天気動画を構成する少なくとも１つの天気素材を特定するための第１の特定サブモジュールと、
前記端末の姿勢情報に基づいて前記少なくとも１つの天気素材における各天気素材の運動状態を特定するための第２の特定サブモジュールと、
前記天気素材の運動状態に基づいて前記天気動画を生成するための動画生成サブモジュールと、を含む。
【００３１】
好ましい方案において、天気動画における天気素材運動状態を特定することによって、天気動画がより正確、真実、且つより直感的になり、ユーザに真実な体験を与え、ユーザ体験度をより向上させることができる。
【００３２】
好ましく、前記取得モジュールが取得する天気情報は天気のタイプ及び天気の等級を含み、前記第１の特定サブモジュールが特定する天気素材のパラメータは天気素材のタイプ、各天気素材の対象の数及び各対象の大きさを含み、
前記第１の特定サブモジュールは、前記天気のタイプ及び天気の等級に基づいて前記天気素材のタイプ、各天気素材の対象の数及び各対象の大きさを特定するために用いられる。
【００３３】
好ましい方案において、天気のタイプ及び天気の等級に基づいて動画における天気素材をより詳しく表示し、天気状態の表示の真実性及び直感性を向上する。
【００３４】
好ましく、前記第２の特定サブモジュールが特定する運動状態は初期位置及び運動軌跡を含み、
前記第２の特定サブモジュールは、前記端末の姿勢情報に基づいて前記天気素材の各対象の初期位置及び運動軌跡を特定するために用いられ、
前記表示モジュールは、前記端末において前記天気素材の各対象が前記初期位置から前記運動軌跡に沿って運動することを表示するために用いられる。
【００３５】
好ましい方案において、端末の姿勢情報に基づいて天気動画における各天気素材の初期位置及び運動軌跡を特定し、動画における天気素材をより詳しく表示し、天気状態の表示の真実性及び直感性を向上させる。
【００３６】
好ましく、前記第２の特定サブモジュールは、前記端末の姿勢情報に基づいて前記天気素材の各対象の運動軌跡を前記初期位置から重力方向に沿って運動する軌跡として特定するために用いられる。
【００３７】
好ましい方案において、素材が重力方向に沿って落下するように設定し、動画における素材を詳しく表示し、天気状態の表示の真実性を向上させる。
【００３８】
好ましく、前記取得モジュールが取得する端末の姿勢情報は、水平、垂直、傾斜を含み、
前記第２の特定サブモジュールは、前記端末が水平に置かれる場合、前記天気素材の各対象の運動軌跡を前記端末のスクリーンの存在する平面に垂直する方向に沿って運動する軌跡として特定し、前記端末が垂直に置かれる場合、前記天気素材の各対象の運動軌跡を前記端末のスクリーンの存在する平面で上から下に向けて運動する軌跡として特定し、前記端末が傾斜して置かれる場合、前記天気素材の各対象の運動軌跡を前記端末のスクリーンの存在する平面の鉛直方向に沿って上から下に向けて運動する軌跡として特定するために用いられる。
【００３９】
好ましい方案において、端末姿勢に基づいて天気動画を生成し、生成される動画の効果がより真実になり、ユーザに真実な体験を与え、ユーザ体験度を向上させる。
【００４０】
好ましく、前記取得モジュールが取得する端末の姿勢情報は、さらに前記端末のスクリーンが水平上向き姿勢、水平下向き姿勢を含み、
前記第２の特定サブモジュールは、前記スクリーンが水平上向きである場合、前記天気素材の各対象の運動軌跡を前記スクリーンの存在する平面に垂直な方向に沿って前記スクリーン外から前記スクリーン内へ落下する軌跡として特定し、前記スクリーンが水平下向きである場合、前記天気素材の各対象の運動軌跡を前記スクリーンの存在する平面に垂直な方向に沿って前記スクリーン内から前記スクリーン外へ落下する軌跡として特定するために用いられる。
【００４１】
好ましい方案において、端末姿勢に基づいて天気動画を生成し、生成される動画の効果がより真実になり、ユーザに真実な体験を与え、ユーザ体験度を向上させる。
【００４２】
好ましく、前記取得モジュールが取得する天気情報はさらに風力情報及び風向情報を含み、
前記第２の特定サブモジュールは、前記天気素材のタイプ、各対象の大きさ、風力情報、風向情報及び前記端末の姿勢情報に基づいて、前記天気素材の各対象が動画の各フレームにおける位置を特定するために用いられる。
【００４３】
好ましい方案において、多種の天気状態の情報に基づいて天気動画を生成することによって、多種の天気状態に対し総合的な動態イメージ表示を実現し、天気状態に対する表示がより正確、より真実、且つ、より直感的になる。
【００４４】
好ましく、前記生成モジュールは、
前記端末のカメラによって撮像された画面を前記天気動画の背景とする、又は、設定画面を前記天気動画の背景とするための背景選出サブモジュールを含む。
【００４５】
好ましい方案において、天気動画の背景は固定的な設定イメージであってもよいし、屋外シーンイメージであってもよい。これにより、天気状態の表示をより多様化し、且つ、より真実、より直感的にし、ユーザに真実な体験を与え、ユーザ体験度をより向上させることができる。
【００４６】
好ましく、前記装置はさらに、
設定画面を前記天気動画の背景とする場合、現在の時間を取得するための時間取得モジュールを含み、
前記生成モジュールはさらに、
現在の時間に基づいて前記天気動画の背景色度値情報を特定するための第３の特定サブモジュールと、
前記背景色度値情報に基づいて前記天気動画の背景の色度値を調整するための調整サブモジュールと、を含む。
【００４７】
好ましい方案において、固定のイメージ背景に関しては、時間変化に従い、天気動画の背景を異なる光度、色度の変化を呈させることによって、真実的に光線の時間に従う変化を呈し、ユーザに真実な体験を与え、且つ、背景イメージを変更する必要がなく、その色度値だけを変更してもよく、記憶されるイメージ資源を低減し、処理効率を向上できる。
【００４８】
好ましく、前記装置はさらに、設定画面を前記天気動画の背景とする場合、現在の日付を取得するための日付取得モジュールと、
現在の日付の属する季節を特定するための季節特定モジュールと、を含み、
前記生成モジュールはさらに、
前記現在の日付の属する季節に基づいて前記天気動画の背景タイプを特定するための第４の特定サブモジュールと、
前記天気動画的背景として前記背景タイプの対応する設定イメージを選択するための前記背景選出サブモジュールと、を含む。
【００４９】
好ましい方案において、固定的なイメージ背景に関しては、現在の季節に基づいて、対応する背景イメージを選択して動画を表示し、例えば、春夏秋冬という四季モードを設定し、それぞれのモードにおいて異なるイメージは異なる月に対応し、現在の時期に基づいて対応するイメージを動画背景として選択することができる。天気動画表示において季節要因を考慮することによって、ユーザに真実な体験を与え、体験度をより向上させる。
【００５０】
本発明の実施例の第３の態様によれば、天気表示装置を提供し、
プロセッサと、
プロセッサにより実行可能な指令を記憶するためのメモリと、を含み、
前記プロセッサは、
天気情報及び端末の姿勢情報を取得し、
前記天気情報及び前記端末の姿勢情報に基づいて天気動画を生成し、
前記端末において前記天気動画を表示するように構成される。
本発明の実施例の第４の態様によれば、プロセッサに実行されることにより前記天気表示方法を実現する、記録媒体に記録されたプログラムを提供する。
本発明の実施例の第５の態様によれば、前記プログラムが記録された記録媒体を提供する。
【００５１】
本実施例において、天気情報及び姿勢情報に基づいて天気動画を生成することによって、多種の天気状態に対し総合的な動態イメージ表示を行い、天気状態の表示をより正確、より真実、より直感的にすることができる。且つ、天気状態の表示に端末の現在の姿勢情報を組み合わせることによって、端末に対するユーザの使用状態を考慮した天気状態の表示を実現し、ユーザと効果的にインタラクションを行うことができて、天気状態の表示の効果がいっそう多様化になり、ユーザに真実な体験を与え、ユーザ体験度をより向上させることができる。
【００５２】
以上の一般的な記述及び以下の詳細な記述は、例示のものに過ぎず、本開示を限定するものではないと理解すべきである。
【図面の簡単な説明】
【００５３】
ここでの図面は、本明細書の一部として、本発明に適切な実施例を示し、明細書と合わせて本発明の原理を解釈する。
【図１】例示的な実施例における天気表示方法を示すフローチャートである。
【図２】他の例示的な実施例における天気表示方法を示すフローチャートである。
【図３】例示的な実施例における天気動画表示を示す模式図である。
【図４】例示的な実施例における天気動画表示を示す模式図である。
【図５】他の例示的な実施例における天気動画表示を示す模式図である。
【図６】他の例示的な実施例における天気動画表示を示す模式図である。
【図７】他の例示的な実施例における天気表示方法を示すフローチャートである。
【図８】他の例示的な実施例における天気表示方法を示すフローチャートである。
【図９】例示的な実施例における天気表示装置を示すブロック図である。
【図１０】例示的な実施例における生成モジュールを示すブロック図である。
【図１１】他の例示的な実施例における生成モジュールを示すブロック図である。
【図１２】他の例示的な実施例における天気表示装置を示すブロック図である。
【図１３】他の例示的な実施例における天気表示装置を示すブロック図である。
【図１４】例示的な実施例における天気表示に用いられる装置１３００を示すブロック図である。
【発明を実施するための形態】
【００５４】
ここで、図面に示された例示的な実施例を詳細に説明する。以下の内容において、図面を言及するとき、特に説明しない限り、異なる図面における同じ数字は同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の方面と一致する装置及び方法の例にすぎない。
【００５５】
図１は例示的な実施例における天気表示方法を示すフローチャートである。図１に示すように、天気表示方法は端末に用いられており、以下のステップを含む。
ステップＳ１１において、天気情報及び端末の姿勢情報を取得する。
ステップＳ１２において、天気情報及び姿勢情報に基づいて天気動画を生成する。
ステップＳ１３において、端末に天気動画を表示する。
【００５６】
上記のステップＳ１１において、端末はネットワークを介して、数種の天気状態を含む天気情報、例えば、晴れ、曇り、雨（異なる等級）、氷晶雨（freezing rain）、にわか雨、雪（異なる等級）、みぞれ、あられ｛ひょう｝、霧、砂嵐、粉塵、スモッグ（異なる等級）、風（風向、風力）、温度、湿度等の全ての天気に関わる情報を取得することができる。
【００５７】
上記のステップＳ１１において、端末においての既存の重力センサー、例えば、加速度計、ジャイロスコープ、電子コンパス等を用いて、端末の現在の姿勢情報、即ち、端末が水平に置かれるか、垂直に置かれるか、又は、傾斜して置かれるか、傾斜角度がいくらであるかが検出できる。さらに、端末のスクリーンが水平上向きまたは水平下向きかが検出できる。端末が異なる姿勢である場合、ユーザのために提示する天気動画も異なり、ユーザが端末の姿勢を変更する場合、これに応じてスクリーンに端末の現在の姿勢に対応する動画が表示される。
【００５８】
本実施例において、天気情報及び姿勢情報に基づいて天気動画を生成することによって、多種の天気状態に対し総合的な動態イメージ表示を行い、天気状態の表示をより正確、より真実、且つ、より直感的にすることができる。且つ、天気状態の表示に端末の現在の姿勢情報を組み合わせることによって、端末に対するユーザの使用状態を考慮した天気状態の表示を実現し、ユーザと効果的にインタラクションを行うことができて、天気状態の表示の効果がいっそう多様化になり、ユーザに真実な体験を与え、ユーザ体験度をより向上させることができる。
【００５９】
図２は他の例示的な実施例における天気表示方法を示すフローチャートである。図２に示すように、好ましく、上記のステップＳ１２は以下のステップを含む。
ステップＳ２１において、天気情報に基づいて天気動画を構成する少なくとも１つの天気素材を特定する。
ステップＳ２２において、端末の姿勢に基づいて少なくとも１つの天気素材における各天気素材の運動状態を特定する。
ステップＳ２３において、天気素材の運動状態に基づいて天気動画を生成する。
【００６０】
ここで、天気動画における天気素材とは、天気動画表示を構成する要素を指す。例えば、雨が降る天気動画に対応する天気素材は雨滴である。雪が降る天気動画に対応する天気素材は雪花である。砂嵐の天気動画に対する天気素材は砂粒である。晴れの天気動画に対応する天気素材は太陽、月又は雲を含み得る。
【００６１】
好ましい方案において、天気動画における天気素材の運動状態を特定することによって、天気動画がより正確、より真実、且つ、より直感的になるようにし、ユーザに真実な体験を与え、ユーザ体験度をより向上させることができる。
【００６２】
好ましく、前記天気情報は、天気のタイプ及び天気の等級を含む。天気素材のパラメータは天気素材のタイプ、各天気素材の対象の数及び各対象の大きさを含む。
【００６３】
上記のステップＳ２１は、前記天気のタイプ及び天気の等級に基づいて前記天気素材のタイプ、各天気素材の対象の数及び各対象の大きさを特定するステップを含む。
例えば、天気のタイプが雨、天気の等級が大雨である場合、天気動画における天気素材のタイプが雨滴、動画における雨滴の数が３００であることを特定し、それぞれの雨滴の大きさが同一に設置され得るし、異なるように設置され得る。
【００６４】
好ましい方案において、天気のタイプ及び天気の等級に基づいて、動画における天気素材をより詳しく表示し、天気状態の表示の真実性及び直感性を向上する。
【００６５】
好ましく、前記運動状態は初期位置及び運動軌跡を含む。
【００６６】
上記のステップＳ２２は、前記端末の姿勢情報に基づいて前記天気素材の各対象の初期位置及び運動軌跡を特定するステップを含む。上記のステップＳ２３は、前記端末に前記天気素材の各対象が前記初期位置から前記運動軌跡によって運動することを表示するステップを含む。
【００６７】
例えば、雨滴としては、端末が垂直に置かれる場合、雨滴の初期位置が天気動画の上端であることを特定する。端末が水平に置かれる場合、雨滴の初期位置が動画区域全体において任意に分布され得る。天気動画において、それぞれの雨の初期位置が異なるように設置することにより、天気動画をより真実にすることができる。
【００６８】
好ましい方案において、端末の姿勢情報に基づいて天気動画における各天気素材の初期位置及び運動軌跡を特定し、動画における天気素材をより詳しく表示し、天気状態の表示の真実性及び直感性を向上させる。
【００６９】
好ましく、前記端末の姿勢情報に基づいて、前記天気素材の各対象の初期位置及び運動軌跡を特定するステップは、
前記端末の姿勢情報に基づいて、前記天気素材の各対象の運動軌跡を前記初期位置から重力方向に沿って運動する軌跡として特定するステップを含む。
例えば、雨滴の運動軌跡としては、端末が何の姿勢にあっても、雨滴が重力方向に沿って降る。
【００７０】
好ましい方案において、素材が重力方向に沿って降るように設置し、動画における素材をより詳しく表示することによって、天気状態の表示の真実性を向上させる。
【００７１】
好ましく、前記端末の姿勢情報は、水平、垂直、傾斜を含むがこれらに限らない。端末が傾斜している場合、傾斜する方向及び角度等の情報をさらに取得できる。前記端末の姿勢情報に基づいて前記天気素材の各対象の運動軌跡を前記初期位置から重力方向に沿って運動する軌跡として特定するステップは、
前記端末が水平に置かれる場合、天気素材の各対象の運動軌跡を前記端末のスクリーンの存在する平面に垂直する方向に沿って運動する軌跡として特定し、
前記端末が垂直に置かれる場合、天気素材の各対象の運動軌跡を前記端末のスクリーンの存在する平面で上から下に向けて運動する軌跡として特定し、
前記端末が傾斜して置かれる場合、天気素材の各対象の運動軌跡を前記端末のスクリーンの存在する平面の鉛直方向に沿って上から下に向けて運動する軌跡として特定するステップを含む。
【００７２】
図３及び図４は例示的な実施例における天気動画表示を示す模式図である。
例えば、雨滴の落下軌跡を例として、図３に示すように、端末が垂直に置かれる場合、雨滴が端末のスクリーンの存在する平面で上から下に向けて落下するように表示され得る。図４に示すように、端末が傾斜して置かれる場合、雨滴は端末のスクリーンの存在する平面の鉛直方向に沿って上から下に向けて落下するように表示され得る。端末が水平に置かれる場合、雨滴がスクリーンのある平面に垂直する方向に沿って落下するように表示され得る。
【００７３】
好ましく、前記端末の姿勢情報は、さらに、前記端末のスクリーンの水平上向き姿勢、水平下向き姿勢を含む。前記端末の姿勢情報に基づいて前記天気素材の各対象の運動軌跡を前記初期位置から重力方向に沿って運動する軌跡として特定するステップは、
前記スクリーンが水平上向きである場合、天気素材の各対象の運動軌跡を、前記スクリーンのある平面に垂直な方向に沿って前記スクリーン外から前記スクリーン内へ落下する軌跡として特定するステップを含む。
【００７４】
前記スクリーンが水平下向きである場合、天気素材の各対象の運動軌跡を前記スクリーンのある平面に垂直な方向に沿って前記スクリーン内から前記スクリーン外へ落下する軌跡として特定する。
【００７５】
図５及び図６は他の例示的な実施例における天気動画表示を示す模式図である。
例えば、雨滴の落下軌跡を例として、図５に示すように、端末のスクリーンが水平上向きである場合、雨滴がスクリーン外からスクリーン内へ落下するように表示される。図６に示すように、端末のスクリーンが水平下向きである場合、雨滴がスクリーン内からスクリーン外へ落下するように表示される。
【００７６】
好ましい方案において、端末姿勢に基づいて天気動画を生成し、生成された動画の効果がより真実となり、ユーザに真実な体験を与え、ユーザ体験度を向上させる。
【００７７】
好ましく、前記天気情報はさらに、風力情報及び風向情報を含む。前記端末の姿勢情報に基づいて前記天気素材の各対象の初期位置及び運動軌跡を特定するステップは、天気素材のタイプ、各対象の大きさ、風力情報、風向情報及び端末の姿勢情報に基づいて天気素材の各対象の動画の各フレームにおける位置を算出するステップを含む。
【００７８】
例えば、雨滴の運動軌跡に関しては、天気情報及び端末の姿勢を総合的に考慮する必要がある。例えば、風が吹く場合、雨滴が垂直的に落下するのでなく、一定の角度で傾斜して落下するのである。風力及び風向情報に基づいて雨滴が落下する傾斜角度を算出し、風向が東であり、風力が３級である場合、雨滴がスクリーンの右側へ略比較的小さな角度で傾斜して落下するように設置し得る。
【００７９】
好ましい方案において、多種の天気状態の情報に基づいて天気動画を生成することによって、多種の天気状態に対する総合的な動態イメージ表示を実現し、天気状態に対する表示がより正確、より真実、より直感的になる。
【００８０】
好ましく、上記のステップＳ１２は、
前記端末のカメラによって撮像された画面を前記天気動画の背景とする、又は、設定画面を前記天気動画の背景とするステップを含む。
【００８１】
例えば、図３及び図４に示すように、設定画面を動画の背景とする、又は、図５及び図６に示すように、端末の後側のカメラを開き、撮影された画面を動画の背景とする。ここで、ユーザが頭を下げてスクリーンを見ると、雨がスクリーンから地面に落下する感じをする。ユーザが頭を上げてスクリーンを見ると、雨が空から落下する感じをする。
【００８２】
好ましい方案において、天気動画の背景は固定的な設定イメージであってもよいし、屋外シーンのイメージであってもよい。これにより、天気状態の表示をいっそう多様化にし、より真実、より直感的にし、ユーザに真実な体験を与え、ユーザ体験度をより向上させる。
【００８３】
図７は他の例示的な実施例における天気表示方法を示すフローチャートである。図７に示すように、好ましく、設定画面を前記天気動画の背景とする場合、前記方法はさらに以下のステップを含む。
ステップＳ７１において、現在の時間を取得する。
ステップＳ７２において、現在の時間に基づいて天気動画の背景色度値（ｃｏｌｏｒｉｍｅｔｒｉｃ  ｖａｌｕｅｓ）情報を特定する。
ステップＳ７３において、背景色度値情報に基づいて天気動画の背景の色度値を調整する。
【００８４】
好ましい方案において、固定のイメージ背景に関しては、時間変化に従い、天気動画の背景に異なる光度、色度の変化を表させることによって、時間に従う光線の変化を真実に表し、ユーザに真実な体験を与え、且つ、背景イメージを変更することは無く、その色度値だけを補正すればよく、記憶されるイメージ資源を低減し、処理効率を向上させる。
【００８５】
図８は他の例示的な実施例における天気表示方法を示すフローチャートである。図８に示すように、好ましく、設定画面を前記天気動画の背景とする場合、前記方法はさらに、
現在の日付を取得するステップＳ８１と、
現在の日付の属する季節を特定するステップＳ８２と、
現在の日付の属する季節に基づいて天気動画の背景タイプを特定するステップＳ８３と、
天気動画の背景として背景タイプに対応する設定イメージを選択するステップＳ８４と、を含む。
【００８６】
好ましい方案において、固定的なイメージ背景に関しては、現在の季節に基づき、対応する背景イメージを選択して動画を表示し、例えば、春夏秋冬という四季モードを設定し、それぞれのモードにおいて異なるイメージは異なる月に対応し、現在の時期に基づき対応するイメージを動画背景として選択できる。天気動画表示において季節要因を考慮して、ユーザの感じをより真実にし、体験度をより向上させる。
【００８７】
好ましく、さらに現在の環境の温度及び／または湿度を取得でき、現在の環境温度及び／または湿度に応じて天気動画の表示効果が調整できる。
【００８８】
本実施例において、雨、雪、氷あられ、砂ぼこり等の天気に関しては、多種の天気情報、例えば、雨、雪、氷あられ、砂ぼこり量の大きさ、風力、風向、現在の時間、季節、温度等、及び端末の姿勢、スクリーンの方向を総合的に考慮して、天気動画を生成する。稲妻の場合、稲妻の動画を加え、例えば、動画におけるある領域を突然に明るくすることによって稲妻の効果を達成できる。
【００８９】
晴れの天気に関しては、現在の時間、季節、温度等に基づいて、陽光の照射方向、色、又は月の形状、色等を設置できる。
【００９０】
曇りの天気に関しては、現在の風力、風向に基づいて、動画において雲が浮いている効果を表示できる。
【００９１】
霧又はヘイズの天気に関しては、背景の可視度を調整することによって霧又はヘイズの程度を表示する。
【００９２】
本実施例において、天気動画の生成はＡｎｄｒｏｉｄ（登録商標）システムにおけるＤｒａｗ機能を使用できる。例えば、停止せずにそれぞれの雨滴を描くことによって、雨の動画を生成する。３Ｄの効果を模擬しようとすれば、ＯｐｅｎＧＬ技術を用いて３Ｄの天気動画を生成できる。
【００９３】
本発明の天気表示方法による動画効果がより正確、より真実となり、ユーザに真実な体験を与え、ユーザ体験度をよりよくすることができる。
【００９４】
図９は例示的な実施例における天気表示装置を示すブロック図である。図９に示すように、該装置は取得モジュール９１、生成モジュール９２及び表示モジュール９３を含む。
取得モジュール９１は天気情報及び端末の姿勢情報を取得するように構成されている。
生成モジュール９２は前記天気情報及び前記端末の姿勢情報に基づいて天気動画を生成するように構成されている。
表示モジュール９３は前記端末に前記天気動画を表示するように構成されている。
【００９５】
図１０は例示的な実施例における生成モジュールを示すブロック図である。図１０に示すように、好ましく、生成モジュール９２は第１の特定サブモジュール９２１、第２の特定サブモジュール９２２と動画生成サブモジュール９２３を含む。
第１の特定サブモジュール９２１は、前記天気情報に基づいて前記天気動画を構成する少なくとも１つの天気素材を特定するように構成されている。
第２の特定サブモジュール９２２は、前記端末の姿勢に基づいて前記少なくとも１つの天気素材における各天気素材の運動状態を特定するように構成されている。
動画生成サブモジュール９２３は、前記天気素材の運動状態に基づいて前記天気動画を生成するように構成されている。
【００９６】
好ましく、前記取得モジュール９１が取得する天気情報は、天気のタイプと天気の等級を含む。前記第１の特定サブモジュール９２１が特定する天気素材のパラメータは、天気素材のタイプ、各天気素材の対象の数および各対象の大きさを含む。前記第１の特定サブモジュール９２１は、前記天気のタイプ及び天気の等級に基づいて前記天気素材のタイプ、各天気素材の対象の数及び各対象の大さを特定するように構成されている。
【００９７】
好ましく、前記第２の特定サブモジュール９２２が特定する運動状態は初期位置及び運動軌跡を含む。
前記第２の特定サブモジュール９２２は、前記端末の姿勢情報に基づいて前記天気素材の各対象の初期位置及び運動軌跡を特定するように構成されている。
前記表示モジュール９３は、前記端末に前記天気素材の各対象が前記初期位置から前記運動軌跡によって運動することを表示するように構成されている。
【００９８】
好ましく、前記第２の特定サブモジュール９２２は、前記端末の姿勢情報に基づいて、前記天気素材の各対象が前記初期位置から重力方向に沿って運動することを特定するように構成されている。
【００９９】
好ましく、前記取得モジュール９１が取得する端末の姿勢情報は、水平、垂直、傾斜を含む。前記第２の特定サブモジュール９２２は、前記端末が水平に置かれる場合、前記天気素材の各対象の運動軌跡を前記端末のスクリーンのある平面に垂直する方向に沿って運動する軌跡として特定し、前記端末が垂直に置かれる場合、前記天気素材の各対象の運動軌跡を前記端末のスクリーンのある平面で上から下に向けて運動する軌跡として特定し、前記端末が傾斜した置かれる場合、前記天気素材の各対象の運動軌跡が前記端末のスクリーンのある平面の鉛直方向において上から下に向けて運動するよう表示されることを特定するように構成されている。
【０１００】
好ましく、前記取得モジュール９１が取得する端末の姿勢情報はさらに、前記端末のスクリーンの水平上向き姿勢、水平下向き姿勢を含む。前記第２の特定サブモジュール９２２は、前記スクリーンが水平上向きである場合、前記天気素材の各対象の運動軌跡を、前記スクリーンのある平面に垂直する方向に沿って前記スクリーン外から前記スクリーン内へ落下する軌跡として特定し、前記スクリーンが水平下向きである場合、前記天気素材の各対象の運動軌跡を前記スクリーンのある平面に垂直する方向に沿って前記スクリーン内から前記スクリーン外へ落下する軌跡として特定するように構成されている。
【０１０１】
好ましく、前記取得モジュール９１が取得する天気情報は、さらに風力情報及び風向情報を含む。前記第２の特定サブモジュール９２２は、前記天気素材のタイプ、各対象大きさ、風力情報、風向情報及び前記端末の姿勢情報に基づいて、前記天気素材の各対象の動画の各フレームにおける位置を算出するように構成されている。
【０１０２】
図１１は他の例示的な実施例における生成モジュールを示すブロック図である。図１１に示すように、好ましく、前記生成モジュール９２は背景選出サブモジュール９２４を含む。
背景選出サブモジュール９２４は、前記端末のカメラによって撮像された画面を前記天気動画の背景とする、又は、設定画面を前記天気動画の背景とするように構成されている。
【０１０３】
図１２は他の例示的な実施例における天気表示装置を示すブロック図である。図１２に示すように、好ましく、前記装置はさらに時間取得モジュール９４を含む。
時間取得モジュール９４は、設定画面を前記天気動画の背景とする場合、現在の時間を取得するように構成されている。
前記生成モジュール９２は、さらに第３の特定サブモジュール９２５と調整サブモジュール９２６とを含む。
第３の特定サブモジュール９２５は、前記現在の時間に基づいて前記天気動画の背景色度値情報を特定するように構成されている。
調整サブモジュール９２６は、前記背景色度値情報に基づいて前記天気動画背景の色度値を調整するように構成されている。
【０１０４】
図１３は他の例示的な実施例における天気表示装置を示すブロック図である。図１３に示すように、好ましく、前記装置はさらに日付取得モジュール９５と季節特定モジュール９６とを含む。
日付取得モジュール９５は、設定画面を前記天気動画の背景とする場合、現在の日付を取得するように構成されている。
季節特定モジュール９６は、現在の日付の属する季節を特定するように構成されている。
前記生成モジュール９２はさらに第４の特定サブモジュール９２７を含む。
第４の特定サブモジュール９２７は、前記現在日付の属する季節に基づいて前記天気動画の背景タイプを特定するように構成されている。
背景選出サブモジュール９２４は、前記天気動画の背景として前記背景タイプに対応する設定イメージを選択するように構成されている。
【０１０５】
上記の実施例における装置に関しては、そのそれぞれのモジュールが操作を実行する具体的な形態は既に該方法に関する実施例において詳細的に記載されたので、ここで、詳しく説明しない。
【０１０６】
本実施において、天気情報及び姿勢情報に基づいて天気動画を生成することによって、多種の天気状態に対し総合的な動態イメージ表示を行い、天気状態の表示をより正確、より真実、より直感的にすることができる。且つ、天気状態の表示に端末の現在の姿勢情報を組み合わせることによって、端末に対するユーザの使用状態を考慮した天気状態の表示を実現し、ユーザと効果的にインタラクションを行うことができて、天気状態の表示の効果がいっそう多様化になり、ユーザに真実な体験を与え、ユーザ体験度をより向上させることができる。
【０１０７】
本発明はさらに天気表示装置を提供しており、
プロセッサと、
プロセッサの実行可能な指令を記憶するメモリと、を備えており、
前記プロセッサは、
天気情報及び端末の姿勢情報を取得し、
前記天気情報及び前記端末の姿勢情報に基づいて天気動画を生成し、
前記端末に前記天気動画を表示するように構成されている。
【０１０８】
本実施例において、天気情報及び姿勢情報に基づいて天気動画を生成することによって、多種の天気状態に対し総合的な動態イメージ表示を行い、天気状態の表示をより正確、より真実、より直感的にすることができる。且つ、天気状態の表示に端末の現在の姿勢情報を組み合わせることによって、端末に対するユーザの使用状態を考慮した天気状態の表示を実現し、ユーザと効果的にインタラクションを行うことができて、天気状態の表示の効果がいっそう多様化になり、ユーザに真実な体験を与え、ユーザ体験度をより向上させることができる。
【０１０９】
図１４は例示的な実施例における天気表示に用いられる装置１３００を示すブロック図である。例えば、装置１３００は携帯電話、コンピュータ、デジタル放送端末、メッセージ受発信装置、ゲームコンソールフラット装置、医療装置、ボディービル装置、パーソナルディジタルアシスタント等であり得る。
【０１１０】
図１４を参照して、装置１３００は、処理アセンブリ１３０２、メモリ１３０４、電源アセンブリ１３０６、マルチメディアアセンブリ１３０８、オーディオアセンブリ１３１０、Ｉ／Ｏ（入力／出力）インターフェース１３１２、センサアセンブリ１３１４及び通信アセンブリ１３１６からなる群から選ばれた１つ又は複数のアセンブリを備える。
【０１１１】
処理アセンブリ１３０２は通常に装置１３００の操作全体、例えば、表示、電話発信、データ通信、カメラ操作と記録操作に関わる操作を制御する。処理アセンブリ１３０２は、１つ又は複数のプロセッサ１３２０により指令を実行することにより、上記の方法全体又は一部を完成するステップを含む。なお、処理アセンブリ１３０２は１つ又は複数のモジュールを含み得、これにより、処理アセンブリ１３０２とその他のアセンブリとの間の協力に役立つ。例えば、処理アセンブリ１３０２はマルチメディアモジュールを含むことにより、マルチメディアアセンブリ１３０８と処理アセンブリ１３０２との間の協力に役立つ。
【０１１２】
メモリ１３０４は、各種類のデータを記憶することにより装置１３００での操作をサポートするように配置されている。これらのデータの例としては、装置１３００での操作のための任意のアプリプログラム又は方法の指令、連絡先データ、電話帳データ、メッセージ、イメージ、ビデオ等が挙げられる。メモリ１３０４は、任意のタイプの揮発性又は不揮発性記憶装置、或いはそれらの組合せ、例えば、スタティック・ランダム・アクセス・メモリ（ＳＲＡＭ）、電気的消去可能ＲＯＭ（ＥＥＰＲＯＭ）、電気的にプログラム可能なＲＯＭ（ＥＰＲＯＭ）、プログラマブルＲＯＭ（ＰＲＯＭ）、読み出し専用メモリ（ＲＯＭ）、磁気記憶装置、フラッシュメモリ、磁気ディスク又は光ディスクにより実現され得る。
【０１１３】
電力アセンブリ１３０６は、装置１３００の各種のアセンブリのために電力を提供する。電力アセンブリ１３０６は電源管理システム、１つ又は複数の電源、及び、装置１３００の生成、管理及び電力割当に関わる他のアセンブリを含み得る。
【０１１４】
マルチメディアアセンブリ１３８は、装置１３００とユーザとの間で１つの出力インターフェースを提供するスクリーンを含む。一部の実施例において、スクリーンは、液晶ディスプレイ（ＬＣＤ）とタッチパネル（ＴＰ）を含み得る。スクリーンがタッチパネルを含む場合、スクリーンはタッチパネルとして実現されることにより、ユーザからの入力信号を受信できる。タッチパネルは１つ又は複数のタッチセンサを含むことで、タッチ、スライド及びタッチパネルにおけるジェスチャーを検知する。前記タッチセンサはタッチ又はスライド動作の境界を検知できるだけでなく、タッチ又はスライド操作に関わる持続時間及び圧力を検知できる。一部の実施例において、マルチメディアアセンブリ１３０８は１つのフロントカメラ及び／又はリアカメラを含む。装置１３００が操作モード、例えば、撮像モード又はビデオモードにある場合、フロントカメラ及び／又はリアカメラは外部のマルチメディアデータを受信可能である。フロントカメラとリアカメラとはそれぞれ１つの固定の光学レンズ系であり得る、又は、焦点及び光学ズーム能力を有する。
【０１１５】
オーディオアセンブリ１３１０は、オーディオ信号を出力及び／又は入力するように配置される。例えば、オーディオアセンブリ１３１０は１つのマイクロフォン（ＭＩＣ）を含み、装置８００が操作モード、例えば、発信モード、記録モード及び音声認識モードにある場合、マイクロフォンは外部オーディオ信号を受信するように配置される。受信されたオーディオ信号はさらにメモリ１３０４に記憶される、又は通信アセンブリ１３１６を介して送信される。一部の実施例において、オーディオアセンブリ１３１０はオーディオ信号を出力するためのスピーカをさらに備える。
【０１１６】
Ｉ／Ｏインターフェース１３１２は、処理用アセンブリ１３０２と周辺インターフェースモジュールとの間のためインターフェースを提供し、上記の周辺インターフェースモジュールはキーボード、ホイール、ボタン等であり得る。これらのボタンはホームページボタン、ボリュームボタン、起動ボタン及びロック釦を含むが、これらに限られない。
【０１１７】
センサアセンブリ１３１４は１つ又は複数のセンサを含み、装置１３００のためにそれぞれの方面の状態評価を提供する。例えば、センサアセンブリ１３１４は装置８００の開放／閉鎖状態、アセンブリの相対位置決めを検出でき、例えば、アセンブリは装置１３００のディスプレイとキーパッドであり、センサアセンブリ１３１４は装置１３００又は装置１３００の１つのアセンブリの位置変化、ユーザと装置１３００との接触の存否、装置１３００方位又は加速／減速及び装置１３００の温度変化を検出できる。センサアセンブリ１３１４は任意の物理接触が無い場合付近の物体の存在を測定するように配置される近接センサを含み得る。センサアセンブリ１３１４は、結像アプリに用いられる光センサ、例えば、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ：相補型ＭＯＳ）又はＣＣＤ（Ｃｈａｒｇｅ−ｃｏｕｐｌｅｄ  Ｄｅｖｉｃｅ：電荷結合素子）図像センサを含み得る。一部の実施例において、当該センサアセンブリ１３１４は加速度センサ、ジャイロスコープセンサ、磁センサ、圧力センサ又は温度センサを含み得る。
【０１１８】
通信アセンブリ１３１６は、装置１３００とその他の装置との間での有線あるいは無線方式の通信に役立つように配置される。装置１３００は、通信基準に基づく無線ネットワーク、例えば、ＷｉＦｉ、２Ｇ又は３Ｇ、又はそれらの組合せをアクセスし得る。１つの例示的な実施例において、通信アセンブリ１３１６は放送チャンネルを介して外部放送システムからの放送信号又は放送関係情報を受信する。１つの例示的な実施例において、前記通信アセンブリ１３１６は近距離無線通信（ＮＦＣ）モジュールをさらに備えることにより短距離通信を促進する。例えば、ＮＦＣモジュールは無線自動識別装置（ＲＦＩＤ）技術、赤外線通信協会（ＩｒＤＡ）技術、超広帯域（ＵＷＢ）技術、ブルートゥース（ＢＴ）技術及び他の技術に基づいて実現され得る。
【０１１９】
例示的な実施例において、装置１３００は１つ又は複数の特定用途向け集積回路（ＡＳＩＣ）、デジタル信号プロセッサ（ＤＳＰ）、デジタル信号プロセッサ装置（ＤＳＰＤ）、プログラム可能論理デバイス（ＰＬＤ）、フィールドプログラマブルゲートアレイ（ＦＰＧＡ）、コントローラ、マイクロコントローラ、マイクロプロセッサ又は他の電子素子により実現され得、上記のアプリケーションのアンインストール案内方法を実行する。
【０１２０】
例示的な実施例において、指令を含む非一時的なコンピュータ可読記憶媒体、例えば、指令を含むメモリ１３０４も提供されており、上記の指令は装置１３００のプロセッサ１３２０により実行されて上記の方法を実現する。例えば、前記非一時的なコンピュータ可読記憶媒体は、ＲＯＭ、ランダム・アクセス・メモリ（ＲＡＭ）、ＣＤ−ＲＯＭ（シーディーロム）、カセット、フロッピー（登録商標）・ディスク及び光データ記憶装置等であり得る。
【０１２１】
非一時的なコンピュータで読み取り可能な記憶媒体であって、当該記録媒体中の命令が携帯端末のプロセッサによって実行される際に、携帯端末にアプリケーションのアンインストール案内方法を実行させることができる。前記方法は、
天気情報及び端末の姿勢情報を取得するステップと、
前記天気情報及び前記端末の姿勢情報に基づいて天気動画を生成するステップと、
前記端末において前記天気動画を表示するステップと、を含む。
【０１２２】
好ましく、前記天気情報及び前記端末の姿勢情報に基づいて天気動画を生成するステップは、
前記天気情報に基づいて前記天気動画を構成する少なくとも１つの天気素材を特定するステップと、
前記端末の姿勢情報に基づいて前記少なくとも１つの天気素材における各天気素材の運動状態を特定するステップと、
前記天気素材の運動状態に基づいて前記天気動画を生成するステップと、を含む。
【０１２３】
好ましく、前記天気情報は天気のタイプ及び天気の等級を含む。前記天気素材のパラメータは天気素材のタイプ、各天気素材の対象の数及び各対象の大きさを含む。
前記天気情報に基づいて前記天気動画を構成する少なくとも１つの天気素材を特定するステップは、
前記天気のタイプ及び天気の等級に基づいて前記天気素材のタイプ、各天気素材の対象の数及び各対象の大きさを特定するステップを含む。
【０１２４】
好ましく、前記運動状態は初期位置及び運動軌跡を含み、
前記端末の姿勢情報に基づいて少なくとも１つの天気素材における各天気素材の運動状態を特定するステップは、
前記端末の姿勢情報に基づいて前記天気素材の各対象の初期位置及び運動軌跡を特定するステップを含む。
【０１２５】
前記端末において前記天気動画を表示するステップは、
前記端末において前記天気素材の各対象が前記初期位置から前記運動軌跡に沿って運動することを表示するステップを含む。
【０１２６】
好ましく、前記端末の姿勢情報に基づいて前記天気素材の各対象の初期位置及び運動軌跡を特定するステップは、
前記端末の姿勢情報に基づいて前記天気素材の各対象の運動軌跡を前記初期位置から重力方向に沿って運動する軌跡として特定するステップを含む。
【０１２７】
好ましく、前記端末の姿勢情報は水平、垂直、傾斜を含み、
前記端末の姿勢情報に基づいて前記天気素材の各対象の運動軌跡を前記初期位置から重力方向に沿って運動する軌跡として特定するステップは、
前記端末が水平に置かれる場合、前記天気素材の各対象の運動軌跡を前記端末のスクリーンの存在する平面に垂直する方向に沿って運動する軌跡として特定するステップと、
前記端末が垂直に置かれる場合、前記天気素材の各対象の運動軌跡を前記端末のスクリーンの存在する平面で上から下に向けて運動する軌跡として特定するステップと、
前記端末が傾斜して置かれる場合、前記天気素材の各対象の運動軌跡を前記端末のスクリーンの存在する平面の鉛直方向に沿って上から下に向けて運動する軌跡として特定するステップと、を含む。
【０１２８】
好ましく、前記端末の姿勢情報はさらに前記端末のスクリーンが水平上向き姿勢、水平下向き姿勢を含み、
前記端末の姿勢情報に基づいて前記天気素材の各対象の運動軌跡を前記初期位置から重力方向に沿って運動する軌跡として特定するステップは、
前記スクリーンが水平上向きである場合、前記天気素材の各対象の運動軌跡を前記スクリーンの存在する平面に垂直な方向に沿って前記スクリーン外から前記スクリーン内へ落下する軌跡として特定するステップと、
前記スクリーンが水平下向きである場合、前記天気素材の各対象の運動軌跡を前記スクリーンの存在する平面に垂直な方向に沿って前記スクリーン内から前記スクリーン外へ落下する軌跡として特定するステップと、を含む。
【０１２９】
好ましく、前記天気情報はさらに風力情報及び風向情報を含み、
前記端末の姿勢情報に基づいて前記天気素材の各対象の初期位置及び運動軌跡を特定するステップは、
前記天気素材のタイプ、各対象の大きさ、風力情報、風向情報及び前記端末の姿勢情報に基づいて、前記天気素材の各対象が動画の各フレームにおける位置を特定するステップを含む。
【０１３０】
好ましく、前記天気情報及び前記端末の姿勢情報に基づいて天気動画を生成するステップは、
前記端末のカメラによって撮像された画面を前記天気動画の背景とする、又は、設定画面を前記天気動画の背景とするステップを含む。
【０１３１】
好ましく、設定画面を前記天気動画の背景とする場合、前記方法は、
現在の時間を取得するステップと、
現在の時間に基づいて前記天気動画の背景色度値情報を特定するステップと、
前記背景色度値情報に基づいて前記天気動画の背景の色度値を調整するステップと、を含む。
【０１３２】
好ましく、設定画面を前記天気動画の背景とする場合、前記方法は、
現在の日付を取得するステップと、
現在の日付の属する季節を特定するステップと、
前記現在の日付の属する季節に基づいて前記天気動画の背景タイプを特定するステップと、
前記天気動画の背景として前記背景タイプの対応する設定イメージを選択するステップと、を含む。
【０１３３】
本実施例において、天気情報及び姿勢情報に基づいて天気動画を生成することによって、多種の天気状態に対し総合的な動態イメージ表示を行い、天気状態の表示をより正確、より真実、より直感的にすることができる。且つ、天気状態の表示に端末の現在の姿勢情報を組み合わせることによって、端末に対するユーザの使用状態を考慮した天気状態の表示を実現し、ユーザと効果的にインタラクションを行うことができて、天気状態の表示の効果がいっそう多様化になり、ユーザに真実な体験を与え、ユーザ体験度をより向上させることができる。
【０１３４】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づき、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１３５】
本発明は、上記において開示された構成又は図面に示した構造に限定されるものではなく、本発明の範囲内であれば、様々な補正又は変更を行うことができる。本発明の範囲は、特許請求の範囲により制限される。
【０１３６】
本願は、出願番号が２０１４１０３９７２８７．６であって、出願日が２０１４年８月１２日である中国特許出願に基づき優先権を主張し、当該中国特許出願のすべての内容を本願に援用する。
【手続補正４】
【補正対象書類名】図面
【補正対象項目名】図８
【補正方法】変更
【補正の内容】
【図８】
2016536712.tif 000017
【国際調査報告】
2016536712.tif 000018
2016536712.tif 000019
2016536712.tif 000020
2016536712.tif 000021
2016536712.tif 000022
2016536712.tif 000023